(57)【要約】【課題】高速に非線形歪みを補償して復調または復号することができるようにする。【解決手段】送信装置において、取得部により、情報信号の伝送路の非直線性に基づく情報信号の歪を表す歪情報を取得し、補償部により、取得した歪情報を利用して、送信する情報信号を、受信された情報信号が有する歪が相殺されるように補償し、送信部により、情報信号が補償されていることを表す歪補償情報を情報信号の制御信号に含めて送信する。【選択図】図１０
2015002355.tif 000002
【特許請求の範囲】
【請求項１】
情報信号の伝送路の非直線性に基づく前記情報信号の歪を表す歪情報を取得する取得部と、
取得した前記歪情報を利用して、送信する前記情報信号を、受信された前記情報信号が有する歪が相殺されるように補償する補償部と、
前記情報信号が補償されていることを表す歪補償情報を前記情報信号の制御信号に含めて送信する送信部と
を備える送信装置。
【請求項２】
前記歪情報は、
歪後の全伝送信号点の絶対座標情報、
歪後の伝送信号点のうちの一部の絶対座標情報、
歪後の基準となる伝送信号点に対する他の全ての伝送信号点の相対座標情報、
歪後の基準となる伝送信号点に対する他の一部の伝送信号点の相対座標情報、
伝送路の入出力特性のグラフのデータ、
送信信号点に対する歪を受けた受信信号点の相対座標、または
原点に対する半径の倍率と回転角
のいずれかで表される請求項１に記載の送信装置。
【請求項３】
前記歪情報は、送信された前記情報信号をリファレンス受信して検出した歪または前記伝送路の特性を予め検出した歪に基づいて生成されている
請求項２に記載の送信装置。
【請求項４】
前記制御信号は、ＡＲＩＢ  ＳＴＤ―Ｂ４４のＴＭＣＣ信号である
請求項３に記載の送信装置。
【請求項５】
前記歪情報は、前記ＴＭＣＣ信号に含まれる伝送信号点配置信号に基づいて生成される
請求項４に記載の送信装置。
【請求項６】
情報信号の伝送路の非直線性に基づく前記情報信号の歪を表す歪情報を取得するステップと、
取得した前記歪情報を利用して、送信する前記情報信号を、受信された前記情報信号が有する歪が相殺されるように補償するステップと、
前記情報信号が補償されていることを表す歪補償情報を前記情報信号の制御信号に含めて送信するステップと
を含む送信装置の信号送信方法。
【請求項７】
情報信号の伝送路の非直線性に基づく前記情報信号の歪を表す歪情報を取得するステップと、
取得した前記歪情報を利用して、送信する前記情報信号を、受信された前記情報信号が有する歪が相殺されるように補償するステップと、
前記情報信号が補償されていることを表す歪補償情報を前記情報信号の制御信号に含めて送信するステップと
を含む処理をコンピュータに実行させるプログラム。
【請求項８】
情報信号の伝送路の非直線性に基づく歪が補償されていることを表す歪補償情報が制御信号に含めて送信される前記情報信号を取得する取得部と、
前記歪補償情報が取得された場合、歪が補償された信号を復調するための送信信号点情報を供給する供給部と、
供給された前記送信信号点情報を利用して前記情報信号を復調する復調部と
を備える受信装置。
【請求項９】
前記歪情報は、
歪後の全伝送信号点の絶対座標情報、
歪後の伝送信号点のうちの一部の絶対座標情報、
歪後の基準となる伝送信号点に対する他の全ての伝送信号点の相対座標情報、
歪後の基準となる伝送信号点に対する他の一部の伝送信号点の相対座標情報、
伝送路の入出力特性のグラフのデータ、
送信信号点に対する歪を受けた受信信号点の相対座標、または
原点に対する半径の倍率と回転角
のいずれかで表される請求項８に記載の受信装置。
【請求項１０】
前記歪情報は、送信された前記情報信号をリファレンス受信して検出した歪または前記伝送路の特性を予め検出した歪に基づいて生成されている
請求項９に記載の受信装置。
【請求項１１】
前記復調部は、前記歪補償情報が、前記情報信号が補償されていないことを表している場合、前記制御信号に含まれる伝送信号点配置信号を平均化した信号を利用して前記情報信号を元の信号に復調する
請求項１０に記載の受信装置。
【請求項１２】
情報信号の伝送路の非直線性に基づく歪が補償されていることを表す歪補償情報が制御信号に含めて送信される前記情報信号を取得するステップと、
前記歪補償情報が取得された場合、歪が補償された信号を復調するための送信信号点情報を供給するステップと、
供給された前記送信信号点情報を利用して前記情報信号を復調するステップと
を含む受信装置の信号受信方法。
【請求項１３】
情報信号の伝送路の非直線性に基づく歪が補償されていることを表す歪補償情報が制御信号に含めて送信される前記情報信号を取得するステップと、
前記歪補償情報が取得された場合、歪が補償された信号を復調するための送信信号点情報を供給するステップと、
供給された前記送信信号点情報を利用して前記情報信号を復調するステップと
を含む処理をコンピュータに実行させるプログラム。
【発明の詳細な説明】
【技術分野】
【０００１】
本技術は、送信装置および送信装置の信号送信方法、受信装置および受信装置の信号受信方法、並びにプログラムに関し、特に、高速に非線形歪みを補償して復調または復号することができるようにする送信装置および送信装置の信号送信方法、受信装置および受信装置の信号受信方法、並びにプログラムに関する。
【背景技術】
【０００２】
近年、デジタル放送（衛星/地上波）や携帯電話、無線ＬＡＮ（Local Area Network）といった無線デジタル伝送において、伝送する情報の多様化や大容量化に伴い、従来の位相変調(ＰＳＫ：Phase Shift Keying)よりも周波数利用効率の優れた振幅位相変調(ＡＰＳＫ：Amplitude Phase Shift Keying)が導入されている。しかし、ＡＰＳＫではＰＳＫと比べて振幅変動のダイナミックレンジが大きくなることから、送信増幅器や受信増幅器の非線形性によって生じる伝送路歪みの影響がより顕著となる。
【０００３】
このような非線形歪みを受信機側で補償する技術の一つとして、ARIB STD-B44（非特許文献１）の解説Aに記載されるような、非線形歪み後の平均信号点を基準として搬送波同期における位相誤差検出や誤り訂正復号における尤度計算を行う方式が知られている。
【０００４】
ここで、STD-B44とは、高度広帯域衛星デジタル放送（高度ＢＳ）の伝送規格であり、現在、国内でサービスされているＢＳデジタル放送の伝送規格(ARIB STD-B20)の後継に該当する。上記高度ＢＳでは、Circular型の１６ＡＰＳＫや３２ＡＰＳＫを新たに採用することにより、現行の規格よりも大容量な伝送を実現している。また、誤り訂正符号として、ＬＤＰＣ（Low Density Parity Check : 低密度パリティ検査）符号を採用することにより、伝送効率を高めている。
【０００５】
高度ＢＳにおける伝送フォーマットでは、上述のようなＡＰＳＫ信号に対する非線形歪み補償を目的として、伝送信号点配置信号と呼ばれる既知系列が多重伝送されている。
【０００６】
例えば、３２ＡＰＳＫの信号点が送信された場合、非線形歪みを受けた受信信号の信号点は、元来の送信信号点と比べて振幅や位相がずれた点を中心に分布するようになる。そのため、もとの送信信号点配置を理想信号点として硬判定や尤度算出を行うと搬送波同期や誤り訂正復号の性能が著しく劣化する。
【０００７】
上述の伝送信号点配置信号が、当該変調スロットの伝送主信号と同じ変調方式に対する全ての信号点を既知の順番で順次伝送されることで、受信機では当該区間の受信信号を信号点毎に平均することにより、非線形歪みを受けた信号点分布の中心点の配置を得ることができる。その結果、上記のように得られた信号点分布の中心点の配置を理想信号点として搬送波同期や誤り訂正復号を行うことにより、非線形歪みを補償することが可能となる。
【０００８】
上記高度ＢＳの受信機に適用される従来の復調回路は、次のように構成されていた。
【０００９】
すなわち、従来の復調回路は、主として、搬送波同期回路、信号点平均回路、信号点配置テーブル、硬判定器、位相誤差検出器、尤度算出器、及び、誤り訂正復号器により構成される。
【００１０】
搬送波同期回路は、一般的なデジタルＰＬＬ（Phase Locked Loop）回路で構成されており、位相誤差検出器で検出される位相誤差の分散が最小となるよう搬送波の周波数、及び、位相に対する受信信号の同期の処理を行う。
【００１１】
信号点平均回路は、搬送波同期回路が出力する同期検波信号に対し、伝送信号点配置信号のＩ,Ｑ成分を信号点毎に平均することにより、全信号点の信号点配置情報を生成する。
【００１２】
信号点平均回路により生成された信号点配置情報は、信号点配置テーブルに入力され、多値のバイナリ系列と同バイナリ系列がマッピングされるＩＱ平面上の信号点座標の関係がテーブルとして記憶される。
【００１３】
硬判定器は、信号点配置テーブルに基づいて信号点を硬判定する際のＩＱ平面上の境界線を算出し、同境界線に基づいて硬判定処理を行う。
【００１４】
位相誤差検出器は、硬判定器の硬判定値と同期検波信号の位相差を求めることにより位相誤差を検出する。
【００１５】
尤度算出器は、上記信号点配置テーブルから読み出される信号点配置を理想信号点として、各信号点にマッピングされるバイナリ系列を構成する各ビットの対数尤度比（ＬＬＲ：Log Likelihood Ratio)を算出する。
【００１６】
誤り訂正復号器は、ＬＬＲに基づいてＬＤＰＣ符号の復号を行って、復号データを出力する。
【００１７】
このような復調回路により、非線形歪みによって信号点の振幅や位相の分布が大きく偏移した受信信号に対しても、より劣化の少ない搬送波同期や誤り訂正復号を行うことが可能となる。
【先行技術文献】
【非特許文献】
【００１８】
【非特許文献１】http://www.arib.or.jp/english/html/overview/doc/2-STD-B44v1_0.pdf
【発明の概要】
【発明が解決しようとする課題】
【００１９】
しかしながら、従来の復調回路では、信号点毎に受信信号の平均化処理に時間がかかった。その結果、より高速に非線形歪みを補償して復調または復号することが困難であった。
【００２０】
本技術はこのような状況に鑑みてなされたものであり、高速に非線形歪みを補償して復調または復号することができるようにするものである。
【課題を解決するための手段】
【００２１】
本技術の側面は、情報信号の伝送路の非直線性に基づく前記情報信号の歪を表す歪情報を取得する取得部と、取得した前記歪情報を利用して、送信する前記情報信号を、受信された前記情報信号が有する歪が相殺されるように補償する補償部と、前記情報信号が補償されていることを表す歪補償情報を前記情報信号の制御信号に含めて送信する送信部とを備える送信装置である。
【００２２】
前記歪情報は、歪後の全伝送信号点の絶対座標情報、歪後の伝送信号点のうちの一部の絶対座標情報、歪後の基準となる伝送信号点に対する他の全ての伝送信号点の相対座標情報、歪後の基準となる伝送信号点に対する他の一部の伝送信号点の相対座標情報、伝送路の入出力特性のグラフのデータ、送信信号点に対する歪を受けた受信信号点の相対座標、または原点に対する半径の倍率と回転角のいずれかで表されることができる。
【００２３】
前記歪情報は、送信された前記情報信号をリファレンス受信して検出した歪または前記伝送路の特性を予め検出した歪に基づいて生成されていることができる。
【００２４】
前記制御信号は、ＡＲＩＢ  ＳＴＤ―Ｂ４４のＴＭＣＣ信号であることができる。
【００２５】
前記歪情報は、前記ＴＭＣＣ信号に含まれる伝送信号点配置信号に基づいて生成されることができる。
【００２６】
本技術の側面はまた、前記送信装置に対応する送信装置の信号送信方法およびプログラムである。
【００２７】
本技術の他の側面は、情報信号の伝送路の非直線性に基づく歪が補償されていることを表す歪補償情報が制御信号に含めて送信される前記情報信号を取得する取得部と、前記歪補償情報が取得された場合、歪が補償された信号を復調するための送信信号点情報を供給する供給部と、供給された前記送信信号点情報を利用して前記情報信号を元の信号に復調する復調部とを備える受信装置である。
【００２８】
前記歪情報は、歪後の全伝送信号点の絶対座標情報、歪後の伝送信号点のうちの一部の絶対座標情報、歪後の基準となる伝送信号点に対する他の全ての伝送信号点の相対座標情報、歪後の基準となる伝送信号点に対する他の一部の伝送信号点の相対座標情報、伝送路の入出力特性のグラフのデータ、送信信号点に対する歪を受けた受信信号点の相対座標、または原点に対する半径の倍率と回転角のいずれかで表されることができる。
【００２９】
前記歪情報は、送信された前記情報信号をリファレンス受信して検出した歪または前記伝送路の特性を予め検出した歪に基づいて生成されていることができる。
【００３０】
前記復調部は、前記歪補償情報が、前記情報信号が補償されていないことを表している場合、前記制御信号に含まれる伝送信号点配置信号を平均化した信号を利用して前記情報信号を元の信号に復調することができる。
【００３１】
本技術の他の側面はまた、前記受信装置に対応する受信装置の信号受信方法およびプログラムである。
【００３２】
本技術の一側面においては、取得部が、情報信号の伝送路の非直線性に基づく情報信号の歪を表す歪情報を取得し、補償部が、取得した歪情報を利用して、送信する情報信号を、受信された情報信号が有する歪が相殺されるように補償し、送信部が、情報信号が補償されていることを表す歪補償情報を情報信号の制御信号に含めて送信する。
【００３３】
本技術の他の側面においては、取得部が、情報信号の伝送路の非直線性に基づく歪が補償されていることを表す歪補償情報が制御信号に含めて送信される情報信号を取得し、供給部が、歪補償情報が取得された場合、歪が補償された信号を復調するための送信信号点情報を供給し、復調部が、供給された送信信号点情報を利用して情報信号を元の信号に復調する。
【発明の効果】
【００３４】
本技術によれば、より高速に非線形歪みを補償して復調または復号することができる。
【図面の簡単な説明】
【００３５】
【図１】変調方式を説明する図である。
【図２】信号点を説明する図である。
【図３】受信信号点のばらつきを説明する図である。
【図４】送信信号点と受信信号点との関係を説明する図である。
【図５】衛星中継器モデルの構成を示すブロック図である。
【図６】TWTAの特性を示す図である。
【図７】８ＰＳＫ変調された送信信号における送信信号点と受信信号点をＩＱ平面上の座標位置として示す図である。
【図８】３２AＰＳＫ変調された送信信号における送信信号点と受信信号点をＩＱ平面上の座標位置として示す図である。
【図９】本技術の送受信システムの一実施の形態の構成を示す図である。
【図１０】本技術の送信装置の一実施の形態の構成を示すブロック図である。
【図１１】本技術の送信装置の第１の実施の形態の送信処理を説明するフローチャートである。
【図１２】ＴＭＣＣ情報の構成を説明する図である。
【図１３】ＴＭＣＣ情報の構成手順を説明する図である。
【図１４】フレームの構成を説明する図である。
【図１５】伝送信号点配置情報を説明する図である。
【図１６】伝送信号点配置情報を説明する図である。
【図１７】本技術のリファレンス装置の一実施の形態の構成を示すブロック図である。
【図１８】本技術のリファレンス装置の直交検波部の一実施の形態の構成を示すブロック図である。
【図１９】本技術のリファレンス装置のＬＤＰＣ符号復号部の一実施の形態の構成を示すブロック図である。
【図２０】本技術のリファレンス装置のリファレンス処理を説明するフローチャートである。
【図２１】本技術のリファレンス装置の直交検波部の直交検波処理を説明するフローチャートである。
【図２２】本技術のリファレンス装置のＬＤＰＣ符号復号部のＬＤＰＣ符号復号処理を説明するフローチャートである。
【図２３】本技術の受信装置の第１の実施の形態の構成を示すブロック図である。
【図２４】本技術の受信装置の直交検波部の第１の実施の形態の構成を示すブロック図である。
【図２５】本技術の受信装置のＬＤＰＣ符号復号部の第１の実施の形態の構成を示すブロック図である。
【図２６】本技術の受信装置の受信処理を説明するフローチャートである。
【図２７】本技術の受信装置の直交検波部の第１の実施の形態の直交検波処理を説明するフローチャートである。
【図２８】本技術の受信装置のＬＤＰＣ符号復号部の第１の実施の形態のＬＤＰＣ符号復号処理を説明するフローチャートである。
【図２９】本技術の受信装置の直交検波部の第２の実施の形態の構成を示すブロック図である。
【図３０】本技術の受信装置のＬＤＰＣ符号復号部の第２の実施の形態の構成を示すブロック図である。
【図３１】本技術の受信装置の直交検波部の第２の実施の形態の直交検波処理を説明するフローチャートである。
【図３２】本技術の受信装置のＬＤＰＣ符号復号部の第２の実施の形態のＬＤＰＣ符号復号処理を説明するフローチャートである。
【図３３】本技術の送信装置の第３の実施の形態の送信処理を説明するフローチャートである。
【図３４】本技術の受信装置の直交検波部の第３の実施の形態の構成を示すブロック図である。
【図３５】本技術の受信装置のＬＤＰＣ符号復号部の第３の実施の形態の構成を示すブロック図である。
【図３６】本技術の受信装置の直交検波部の第３の実施の形態の直交検波処理を説明するフローチャートである。
【図３７】本技術の受信装置のＬＤＰＣ符号復号部の第３の実施の形態のＬＤＰＣ符号復号処理を説明するフローチャートである。
【図３８】パーソナルコンピュータの構成例を示すブロック図である。
【発明を実施するための形態】
【００３６】
以下、図面を参照して、本技術の実施の形態について次の順序で説明する。
＜第１の実施の形態（歪情報）＞
１変調方式
２信号点
３信号点の歪
４衛星中継モデル
５送受信システム
６送信装置
７第１の送信処理
８ＴＭＣＣ情報の構成
９ＴＭＣＣ情報の構成手順
１０フレーム構成
１１リファレンス装置
１２リファレンス処理
１３受信装置
１４受信処理
＜第２の実施の形態（タイマー）＞
１５送信装置
１６受信装置
１７直交検波処理
１８ＬＤＰＣ符号復号処理
＜第３の実施の形態（事前の歪補償）＞
１９送信装置
２０送信処理
２１リファレンス装置
２２受信装置
２３直交検波処理
２４ＬＤＰＣ符号復号処理
＜変形例＞
＜その他＞
【００３７】
＜第１の実施の形態（歪情報）＞
［変調方式]
最初に、日本の次世代衛星デジタル放送である高度広帯域衛星デジタル放送（高度ＢＳ）（ARIB STD-B44）の変調方式について説明する。
【００３８】
図１は、変調方式を説明する図である。同図に示されるように、高度ＢＳにおいては、パイ（ギリシア文字）／２シフトＢＰＳＫ、ＱＰＳＫ、８ＰＳＫ、１６ＡＰＳＫ、３２ＡＰＳＫの変調方式を用いることが可能とされている。最初の変調方式は、フレーム同期信号、スロット同期信号、伝送ＴＭＣＣ信号、伝送主信号（伝送信号点配置信号を含む）に用いられる。残りの４つの変調方式は、伝送主信号（伝送信号点配置信号を含む）に用いられる。
【００３９】
［信号点]
図２は、信号点を説明する図である。図２Ａは８ＰＳＫ、図２Ｂは１６ＡＰＳＫ、図２Ｃは３２ＡＰＳＫの、送信信号における信号点をＩＱ平面上の座標位置として示している。これらの図において、横軸がＩ軸、縦軸がＱ軸とされており、ＩＱ座標が（０，０）となる図中の中心点から信号点までの距離（半径）が振幅に対応する。ＩＱ座標としてプロットされた各点が送信信号のシンボルに対応する信号点とされ、８ＰＳＫ、１６ＡＰＳＫ、３２ＡＰＳＫ変調された送信信号においては、それぞれ８、１６または３２種類のシンボルを送信することができる。
【００４０】
８ＰＳＫにおいては、中心点から一定の半径上に、８個の信号点が存在し、１６ＡＰＳＫにおいては、中心点からの距離が最も近い信号点が４点存在し、中心点からの距離が最も遠い信号点が１２点存在する。３２ＡＰＳＫにおいては、中心点からの距離が最も近い信号点が４点存在し、中心点からの距離が最も遠い信号点が１６点存在し、それらの中間の距離の信号点が１２点存在している。
【００４１】
［信号点の歪]
図３は、受信信号点のばらつきを説明する図である。同図に示されるように、高度ＢＳシステム１においては、送信局から送信信号点１１が衛星１２を介して伝送され、受信局に受信信号点１３として受信される。
【００４２】
図４は、送信信号点と受信信号点との関係を説明する図である。図４では、３２ＡＰＳＫの信号点が示されている。図４Ａは、送信信号点を表し、図４Ｂは、送信信号点と受信信号点を表している。すなわち、図４Ａに示される送信信号点は、衛星１２を介して伝送されると、図４Ｂに示される受信信号点として受信される。図４Ｂには、送信信号点に対応する受信信号点も示されている。図４Ｂから明らかなように、受信信号点の座標は、送信信号点の位置からずれている。これは主に、衛星１２が非線形の伝送路を有していることに起因する。
【００４３】
［衛星中継モデル]
図５は、衛星中継器モデルの構成を示すブロック図である。衛星１２は、図５に示されるように、フィルタ衛星中継モデル３１としてモデル化することができる。衛星中継モデル３１は、ＩＭＵＸ（Input de-multiplexer）フィルタ４１、ＴＷＴＡ（Travelling Wave Amplifier）４２、およびＯＭＵＸ（Output multiplexer）で構成される。送信局１１からの伝送信号はＩＭＵＸフィルタ４１で処理された後、ＴＷＴＡ４２で増幅される。その出力はさらにＯＭＵＸ４３で処理された後、受信局に伝送される。
【００４４】
図６は、ＴＷＴＡ４２の特性を示す図である。ＴＷＴＡ４２の入力信号の振幅と出力信号の振幅の関係は、図６にＡＭ−ＡＭとして示されている。出力信号の振幅は、入力信号の振幅が大きくなるに従って、ほぼ直線的に大きくなるが、入力信号の振幅の値が所定の値まで大きくなった後は、次第に飽和し、ついには徐々に減少する。
【００４５】
一方、ＴＷＴＡ４２の入力信号の振幅と出力信号の位相の関係は、図６にＡＭ−ＰＭとして示されている。出力信号の位相は、入力信号の振幅が大きくなるに従って徐々に回転し、入力信号の振幅の値が所定の値まで大きくなった後は、その回転量はほぼ直線的に急激に大きくなる。そして入力信号の振幅の値がさらに所定の値まで大きくなった後は、出力信号の位相の回転は飽和する。
【００４６】
このような特性を有するＴＷＴＡ４２においてシミュレーションして得られた入力信号と出力信号の関係が図７と図８に示されている。図７は、８ＰＳＫ変調された送信信号における送信信号点と受信信号点をＩＱ平面上の座標位置として示す図である。図７に示されるように、×印で示される入力信号点の座標に対して、出力信号点の座標は＋印で示されるように変化する。すなわち、出力信号点は入力信号点に対して反時計方向に回転している。
【００４７】
図８は、３２AＰＳＫ変調された送信信号における送信信号点と受信信号点をＩＱ平面上の座標位置として示す図である。図８に示されるように、×印で示される入力信号点の座標に対して、出力信号点の座標は＋印で示されるように変化する。すなわち、出力信号点は入力信号点に対して反時計方向に回転している。その位相回転量は、中心点からの距離毎に異なっており、中心点からの距離がより大きい信号点の位相回転量の方が、より小さい信号点の位相回転量より大きくなっている。さらに、中心点からの距離の縮小率も中心点からの距離毎に異なっている。具体的には、中心点からの距離が大きくなるほど中心点からの距離の縮小率も大きくなっている。つまり、中心点からの距離が大きくなるほど受信信号点の位置はより内側に抑圧される。
【００４８】
このような非線形特性に基づく受信信号点の歪みを補償するために、伝送信号点配置信号を送信局から伝送し、受信局において対応する伝送信号点の平均化が行われる。すなわち、図４Ｃに示されるように、伝送信号点の平均化により求められた座標に仮想の基準の伝送信号点が設定される。平均化により設定された伝送信号点は、実際の伝送信号点のほぼ中心に位置する。この伝送信号点に基づいて復調処理が行われる。
【００４９】
受信装置においては、受信信号のシンボルの信号点が図４Ａに示される３２種類の座標位置のいずれであるかを特定することにより、送信された信号の復調等を行うことができる。しかしながら、上述したように増幅器の非線形性によって生じる伝送路歪みが存在するため、実際に受信された受信信号の信号点は、図４Ｂあるいは図８に示されるようになる。
【００５０】
図４Ｂに示されるように、実際に受信された受信信号の信号点は、図４Ａに示される送信信号の信号点の座標位置と正確には一致せず、信号点の座標位置が分散している。
【００５１】
また、図４Ｂあるいは図８に示されるように、中心点からの距離が遠くなるほど（振幅が大きくなるほど）、受信信号の信号点の分散の度合いも大きくなっている。
【００５２】
このような受信信号の信号点のそれぞれが３２種類のシンボルのいずれに対応するかを特定できるようにするため、高度ＢＳのフレームには、後述する図１４にＰとして示されている伝送信号点配置信号が各変調スロット内に配置されるようになされている。
【００５３】
上述したように伝送信号点配置信号は既知なので、増幅器の非線形性によって生じる伝送路歪みがあっても、受信装置において３２種類のシンボルの座標位置を特定することが可能となる。すなわち、伝送信号点配置信号として受信した信号における信号点のそれぞれが３２種類のシンボルのいずれに対応しているのかが受信装置において既知であるため、各シンボルの信号点の座標位置がどれだけずれているのか特定することができるのである。
【００５４】
高度ＢＳの受信装置は、例えば、受信信号の信号点であって、同一の伝送モードで伝送された複数の変調スロットに配置された伝送信号点配置信号の各シンボルに対応する信号点の座標位置を特定する。例えば、３２ＡＰＳＫの変調方式の伝送モードの変調スロットを２０スロット受信した場合、伝送信号点配置信号を２０受信できるので第１番目のシンボルの信号点を２０個特定でき、第２番目のシンボルの信号点を２０個特定でき、以下同様に、第３２番目までのシンボルの信号点をそれぞれ２０個特定できる。そして、高度ＢＳの受信装置は、各シンボルに対応する信号点の座標位置を平均することで、３２種類のシンボルの座標位置の基準となる点をそれぞれ特定する。
【００５５】
図４Ｃに示されるように、同一のシンボルを表す信号点の座標位置が平均されて、３２種類のシンボルの座標位置の基準となる点がそれぞれ特定されている。
【００５６】
そして、受信装置は、上述のようにして特定された３２種類のシンボルの座標位置の平均の情報として保持し、シンボルの硬判定、尤度計算に用いるようになされている。
【００５７】
伝送信号点配置信号の平均化処理で得られた信号点をもとに、ＬＤＰＣ符号復号に用いる尤度テーブルおよび同期再生用位相誤差テーブルを更新することで、非線形によるＣ／Ｎ−ＢＥＲ特性およびサイクルスリップを抑圧することができる。また、信号点配置が変更になった場合にも、受信装置側で変更を認識し、変更された信号点配置に対応した受信を行うことが可能となる。
【００５８】
しかしながら、上述したように、平均化処理には時間がかかる。伝送信号点配置信号の平均化不足による所要Ｃ／Ｎ劣化量が０．１ｄB以下となる所要平均化時間を求めると、３２ＡＰＳＫ９７／１２０（４／５）の場合、平均フレーム回数は４４ 回(所要時間１．５２秒)となる。同様に、平均フレーム回数は、１６ＡＰＳＫ８９／１２０（３／４）の場合、２２ 回(所要時間０．７５６秒)、８ＰＳＫ８９／１２０（３／４）の場合、１１回(所要時間０．３７８秒)、ＱＰＳＫ６１／１２０（１／２）の場合、６ 回(所要時間０．２０６秒)となる。さらに平均フレーム回数は、パイ（ギリシア文字）／２ シフトＢＰＳＫ６１／１２０（１／２）の場合、３回(所要時間０．１０３秒)、ＱＰＳＫ３３／１２０の場合、６回(所要時間０．２０６秒)となる。したがって、伝送信号点配置信号平均化でいずれの場合もほぼ十分な精度が得られる時間は、約２秒程度となる。
【００５９】
すなわち、３２ＡＰＳＫの場合、シンボル／秒が３２．５９４１Ｍ／９２９６である平均化処理を２秒実行する平均処理が要求される。平均化回路は６４（＝３２×２）個必要となり、回路規模が大きくなり、受信装置のコストが増加する。
【００６０】
そこで第１の実施の形態においては、図９に示されるようなシステムが採用される。
【００６１】
［送受信システム]
図９は、本技術の送受信システム１０１の一実施の形態の構成を示す図である。送受信システム１０１においては、送信局１１１の送信装置２０１（後述する図１０参照）が送信信号を送信し、この送信信号が衛星１１４により中継され、一般ユーザの住宅１１３の受信装置５０１（後述する図２３参照）により受信される。また、衛星１１４により中継された送信信号は、地上局１１２のリファレンス装置３０１（後述する図１７参照）により受信される。
【００６２】
地上局１１２のリファレンス装置３０１は、衛星１１４により中継された送信信号を受信し、その歪を検出して、対応する歪情報を生成し、送信局１１１の送信装置２０１に送信する。送信装置２０１は受信した歪情報を送信信号に多重化し、衛星１１４を介して一般住宅１１３の受信装置５０１に送信する。受信装置５０１は受信した歪情報を用いて受信信号の歪を補償する。
【００６３】
なお、図９においては、地上局１１２が送信局１１１と離間して示されているが、地上局１１２は送信局１１１の近傍に配置することもできる。すなわち、リファレンス装置３０１は送信装置２０１の近傍（例えば送信局１１１内）に配置してもよい。
【００６４】
［送信装置]
図１０は、本技術の送信装置２０１の一実施の形態の構成を示すブロック図である。送信装置２０１は、送信局１１１が有している。
【００６５】
送信装置２０１は、主信号系２１１、制御信号系２１２、歪補償部２１３、および時分割多重・直交変調部２１４を有している。
【００６６】
主信号系２１１は、フレーム構成部２２１、外符号誤り訂正付加部２２２、電力拡散部２２３、内符号誤り訂正付加部２２４、ビットインターリーブ部２２５、およびマッピング部２２６を有している。
【００６７】
フレーム構成部２２１には、伝送信号としてＭＰＥＧ−２ＴＳ、およびＴＬＶ（Types Length Value）形式のストリーム(ＴＳ１，ＴＳ２,・・・,ＴＳｎ,ＴＬＶ１，ＴＬＶ２，・・・,ＴＬＶｍ)が入力される。フレーム構成部２２１にはまた、制御信号系２１２のＴＭＣＣ情報生成部２３１からＴＭＣＣ(Transmission and Multiplexing Configuration Control)信号が供給されている。フレーム構成部２２１はこれらの信号からフレームを構成する。伝送信号およびＴＭＣＣ情報はフレーム単位で処理される。外符号誤り訂正付加部２２２は、フレーム構成部２２１から供給される信号に、外符号である誤り訂正符号（例えばＢＣＨ符号）を付加する。
【００６８】
電力拡散部２２３は、外符号誤り訂正付加部２２２から入力される信号を拡散する。これにより特定の周波数成分だけが大きくなり、伝送系の負担が大きくなるのを抑制する。ビットインターリーブ部２２５は、変調方式が８ＰＳＫ，１６ＡＰＳＫ，３２ＡＰＳＫの場合にはビットインターリーブを施し、マッピング部２２６に供給する。その他の変調方式の信号は、ビットインターリーブされず、マッピング部２２６に直接供給される。マッピング部２２６は、ＴＭＣＣ情報で各ストリームに指定された、図１に示した５種類のいずれかの変調方式に従いマッピングを行う。
【００６９】
制御信号系２１２は、ＴＭＣＣ情報生成部２３１、外符号誤り訂正付加部２３２、電力拡散部２３３、内符号誤り訂正付加部２３４、およびマッピング部２３５を有している。さらに制御信号系２１２は、同期信号生成部２３６、マッピング部２３７、信号点配置情報生成部２３８、マッピング部２３９、および電力拡散部２４０を有する他、受信部２４１を有している。
【００７０】
ＴＭＣＣ情報生成部２３１は、各ストリームを伝送する際の伝送パラメータ(ＴＭＣＣ１，ＴＭＣＣ２，・・・,ＴＭＣＣｋ)を入力し、ＴＭＣＣ情報を生成する。ＴＭＣＣ情報生成部２３１は、歪補償部２１３から歪補償情報が供給された場合には、この歪補償情報もＴＭＣＣ信号に加える。
【００７１】
外符号誤り訂正付加部２３２は、ＴＭＣＣ情報生成部２３１から供給されるＴＭＣＣ情報に、外符号である誤り訂正符号（例えばＢＣＨ符号）を付加する。
【００７２】
電力拡散部２２３は、外符号誤り訂正付加部２３２から入力される信号を拡散する。これにより特定の周波数成分だけが大きくなり、伝送系の負担が大きくなるのを抑制する。マッピング部２３５は、ＴＭＣＣ情報をパイ（ギリシア語）／２シフトＢＰＳＫの変調方式に従いマッピングを行う。
【００７３】
同期信号生成部２３６は、同期信号(フレーム同期信号、スロット同期信号)を生成する。マッピング部２３７は、同期信号生成部２３６により生成された同期信号を、パイ（ギリシア語）／２シフトＢＰＳＫの変調方式に従いマッピングする。
【００７４】
信号点配置情報生成部２３８は、信号点配置情報を生成する。マッピング部２３９は、ＴＭＣＣ情報で各ストリームに指定された、図１に示した５種類のいずれかの変調方式に従って、信号点配置情報をマッピングする。電力拡散部２４０は、信号点配置情報を拡散する。
【００７５】
歪補償部２１３は受信部２４１より供給された歪情報に基づいて、主信号系２１１より出力された信号と制御信号系２１２より出力された信号の歪補償を実行する。歪補償部２１３はまた、歪補償を実行した場合には、歪補償が実行されたことを表す歪補償情報をＴＭＣＣ情報生成部２３１に供給し、歪補償情報をＴＭＣＣ情報に加えさせる。なお、歪補償を実行しない場合（例えば第１の実施の形態の場合と後述する第２の実施の形態の場合）には、歪補償部２１３は省略することができる。ただし、第１の実施の形態と第２の実施の形態の場合にも歪補償を併用することができ、この場合には歪補償部２１３は省略されない。
【００７６】
時分割多重・直交変調部２１４は、歪補償部２１３を介して主信号系２１１と制御信号系２１２から供給された情報信号を、時分割多重し、直交変調することで変調波を生成する。この変調信号が衛星１１４を介して受信装置５０１に送信される。
【００７７】
［第１の送信処理]
次に、図１１を参照して、図１０の送信装置２０１の第１の送信処理について説明する。この第１の送信処理を行う第１の実施の形態の場合、送信装置２０１は歪補償部２１３を省略することができる。
【００７８】
図１１は、本技術の送信装置の第１の実施の形態の送信処理を説明するフローチャートである。なお、便宜上、図１１において各部の動作をシーケンシャルに説明するが、各部の動作は必要に応じて並列にあるいは逆の順序で実行されるようにしてもよい。このことは、他のフローチャートの動作についても同様である。ステップＳ１においてフレーム構成部２２１は、入力されたＴＬＶ形式の信号およびＴＳ形式の信号からフレームを構成する。
【００７９】
ステップＳ２において外符号誤り訂正付加部２２２は、フレーム構成された信号にＢＣＨ符号からなる外符号の誤り訂正符号を付加する。ステップＳ３において電力拡散部２２３は、誤り訂正符号を付加された信号の電力を拡散する。
【００８０】
ステップＳ４において内符号誤り訂正付加部２２４は、電力拡散された信号にＬＤＰＣ符号からなる内符号の誤り訂正符号を付加する。ステップＳ５においてビットインターリーブ部２２５は、入力された信号のうち、変調方式が８ＰＳＫ，１６ＡＰＳＫ，３２ＡＰＳＫの信号をビットインターリーブする。その他の変調方式の信号はビットインターリーブされない。
【００８１】
ステップＳ６においてマッピング部２２６は、内符号誤り訂正付加部２２４およびビットインターリーブ部２２５より供給された信号を、５種類の変調方式のうちの指定された変調方式でマッピングする。
【００８２】
ステップＳ７において受信部２４１は歪情報を受信する。この歪情報は、後述する図１７のリファレンス装置３０１の図１８に示される直交検波部３１２の歪情報生成部３６０により、図２１のステップＳ１５８の処理で生成され、送信されてきたものである。すなわち、この歪情報は、送信装置２０１が衛星１１４を介して既に送信した信号をリファレンス装置３０１が受信し、その受信信号の歪を実際に検出した結果得られた情報である。
【００８３】
なお、衛星１１４の歪みを予め測定しておき、その測定した歪情報を受信部２４１に記憶させておくようにしてもよい。また、衛星１１４と同じ特性の回路を用意して、それを利用して歪情報を得るようにしてもよい。
【００８４】
歪情報としては、次のような情報が考えられる。
（１）歪後の全伝送信号点の絶対座標情報（直交座標、極座標）
例えば３２ＡＰＳＫの場合、３２個の伝送信号点の絶対座標情報である。この場合、情報量は次のようになる。
直交座標：３２信号点×（Ｉ，Ｑ）×量子化ビット数
極座標：３２信号点×（半径，角度）×量子化ビット数
従って、情報量は、量子化ビット数が１２ビットの場合、７６８ビット、量子化ビット数が１０ビットの場合、６４０ビットになる。
（２）歪後の伝送信号点のうちの一部の絶対座標情報（直交座標、極座標）
中心点（原点）から等距離にある伝送信号点群の中から、それぞれ１つの点が選択される。すなわち、円周毎の代表シンボルの絶対座標が歪情報とされる。例えば３２ＡＰＳＫの場合、情報量は次のようになる。
直交座標：３信号点×（Ｉ，Ｑ）×量子化ビット数
極座標：３信号点×（半径，角度）×量子化ビット数
従って、情報量は、量子化ビット数が１２ビットの場合、７２ビット、量子化ビット数が１０ビットの場合、６０ビットになる。全伝送信号点の絶対座標情報の場合に比べて、情報量を削減することができる。
（３）歪後の基準となる伝送信号点に対する他の全ての伝送信号点の相対座標情報（直交座標、極座標）
例えば３２ＡＰＳＫの場合、１個の伝送信号点を基準として、その基準点に対するその他の３１個の伝送信号点の相対座標情報である。この場合も、全伝送信号点の絶対座標情報の場合に比べて、情報量を削減することができる。
（４）歪後の基準となる伝送信号点に対する他の一部の伝送信号点の相対座標情報（直交座標、極座標）
中心点（原点）から等距離にある伝送信号点群の中から、それぞれ１つの点が選択される。すなわち、円周毎の代表シンボルの相対座標が歪情報とされる。この場合も、全伝送信号点の相対座標情報の場合に比べて、情報量を削減することができる。
（５）伝送路の入出力特性のグラフのデータ
例えば図６の入力信号の振幅と出力信号の振幅の関係を表す特性曲線を表すデータと、入力信号の振幅と出力信号の位相の関係を表す特性曲線を表すデータで歪情報が表される。
（５）伝送路の入出力特性のグラフのデータ
例えば図６の入力信号の振幅と出力信号の振幅の関係を表す特性曲線を表すデータと、入力信号の振幅と出力信号の位相の関係を表す特性曲線を表すデータで歪情報が表される。
（６）送信信号点に対する歪を受けた受信信号点の相対座標
全シンボルまたは代表シンボルの受信信号点を基準とした送信信号点のベクトル（差分）で歪情報が表される。これにより、量子化ビット数を削減することができる。
（７）中心点（原点）に対する半径の縮小率（倍率）と回転角
例えば３２ＡＰＳＫの場合、受信信号点の３つの円の各半径に対する、それに対応する送信信号点の３つの円の各半径の倍率と、送信信号点に対する、それに対応する受信信号点の回転角で歪情報が表される。この場合にも、全シンボルまたは代表シンボルについての歪情報が考えられる。
【００８５】
後述するように、本技術は欧州の規格であるＤＶＢ（Digital Video Broadcasting）を始めとする各種規格にも適用することが可能である。ＤＶＢの場合には、例えば上記４種類の歪情報のうち、（２）または（４）の一部の座標情報を適用するようにしてもよい。
【００８６】
ステップＳ８において、ＴＭＣＣ情報生成部２３１は、入力された各ストリームを伝送する際の伝送パラメータ(ＴＭＣＣ１，ＴＭＣＣ２，・・・,ＴＭＣＣｋ)に基づいて、ＴＭＣＣ情報を生成する。
【００８７】
［ＴＭＣＣ情報の構成]
ここでＴＭＣＣ情報の構成について説明する。図１２は、ＴＭＣＣ情報の構成を説明する図である。ＴＭＣＣ情報は、変更指示（８ビット）、伝送モード／スロット情報（１９２ビット）、ストリーム種別／相対ストリーム情報（１２８ビット）、パケット形式／相対ストリーム情報（８９６ビット）、およびポインタ／スロット情報（３８４０ビット）を有している。またＴＭＣＣ情報は、相対ストリーム／スロット情報（４８０ビット）、相対ストリーム／伝送ストリームＩＤ対応表情報（２５６ビット）、送受信制御情報（８ビット）、および拡張情報（３６１４ビット）を有している。ＴＭＣＣ情報は、以上の総計９４２２ビットで構成されている。ＴＭＣＣ情報の最小更新間隔は１フレームとされる。
【００８８】
変更指示は、ＴＭＣＣ情報の内容に変更が生じるごとに１ずつ加算され、その値が‘11111111’となった場合は、‘00000000’に戻る。ただし、ポインタ／スロット情報のみの変更の場合、変更指示の加算は行われない。
【００８９】
伝送モード／スロット情報は、伝送主信号の変調方式、誤り訂正内符号化の符号化率、衛星出力バックオフおよび割り当てスロット数を示す。
【００９０】
ストリーム種別／相対ストリーム情報は、相対ストリーム番号とストリームの種別の対応関係を示す領域であり、相対ストリーム／スロット情報の項目で示す各スロットに割り当てる相対ストリーム番号毎に、パケットストリームの種別を示す。
【００９１】
パケット形式／相対ストリーム情報は、相対ストリーム番号とパケットの形式の対応関係を示すものであり、相対ストリーム／スロット情報で各スロットに割り当てる相対ストリーム番号毎に、パケットの形式を示す。
【００９２】
ポインタ／スロット情報は、スロットごとに包含される最初のパケットの先頭位置と最後のパケットの末尾の位置を示す。
【００９３】
相対ストリーム／スロット情報は、スロットと相対ストリーム番号の対応関係を示すものであり、スロット１から順に各スロットで伝送する相対ストリーム番号を示す。
【００９４】
相対ストリーム／伝送ストリームＩＤ対応表は、相対ストリーム／スロット情報で使用される相対ストリーム番号と、伝送ストリームＩＤ（ストリーム種別がＭＰＥＧ−２ＴＳの場合にはＭＰＥＧ−２Ｓｙｓｔｅｍｓのトランスポートストリーム識別子(ＴＳ_ＩＤ)、ＴＬＶ形式の場合にはＴＬＶストリーム識別子(ＴＬＶストリームＩＤ)）との対応関係を示す。
【００９５】
送受信制御情報は、緊急警報放送における受信機起動制御のための信号およびアップリンク制御情報を伝送する。
【００９６】
拡張情報は、将来のＴＭＣＣ情報拡張のために使用するフィールドとされているが、第１の実施の形態においては、ここに歪情報が挿入される。後述する歪補償が行われる図２９の第２の実施の形態の場合には、歪補償情報が挿入される。
【００９７】
図１１に戻って、ステップＳ９において外符号誤り訂正付加部２３２は、ＴＭＣＣ情報生成部２３１で生成されたＴＭＣＣ情報にＢＣＨ符号からなる外符号の誤り訂正符号を付加する。ステップＳ１０において電力拡散部２３３は、誤り訂正符号を付加された信号の電力を拡散する。
【００９８】
ステップＳ１１において内符号誤り訂正付加部２３４は、電力拡散された信号にＬＤＰＣ符号からなる内符号の誤り訂正符号を付加する。
【００９９】
ステップＳ１２においてマッピング部２３５は、内符号誤り訂正付加部２３４より供給された信号を、パイ（ギリシア文字）／２シフトＢＰＳＫの変調方式でマッピングする。
【０１００】
［ＴＭＣＣ情報の構成手順]
ここで、ＴＭＣＣ情報の構成手順について説明する。図１３は、ＴＭＣＣ信号の構成手順を説明する図である。
【０１０１】
１フレーム内において、９４２２ビットのＴＭＣＣ情報（図１３Ａ）に１９２ビットのＢＣＨパリティが付加される（図１３Ｂ）。この情報に電力拡散信号が加算され（図１３Ｃ）、電力拡散されたＴＭＣＣ情報（図１３Ｅ）の先頭に１８７０ビットのヌルデータ（値が全て０のデータ）が付加され、その末尾に１１３３０ビットのヌルデータが付加される（図１３Ｆ）。
【０１０２】
さらにヌルデータが付加されたＴＭＣＣ情報に、２２０６６ビットのＬＤＰＣパリティが付加される（図１３Ｇ）。その後、ヌルデータが削除され、伝送ＴＭＣＣ情報が生成される（図１３Ｈ）。
【０１０３】
図１１に戻り、ステップＳ１３において同期信号生成部２３６は同期信号を生成する。ステップＳ１４においてマッピング部２３７は、同期信号を、パイ（ギリシア文字）／２シフトＢＰＳＫの変調方式でマッピングする。
【０１０４】
ステップＳ１５において信号点配置情報生成部２３８は、信号点配置情報を生成する。この信号点配置情報は図１５と図１６を参照して後述する。ステップＳ１６においてマッピング部２３９は、信号点配置情報を、５種類の変調方式のうちの指定された変調方式でマッピングする。ステップＳ１７において電力拡散部２４０は、マッピングされた信号点配置情報を電力拡散する。
【０１０５】
なお、以上のステップＳ１乃至ステップＳ６の主信号系２１１における主情報信号の処理と、ステップＳ７乃至ステップＳ１７の制御信号系２１２の制御信号の処理を、便宜上時系列に説明したが、実際には並行して実施される。
【０１０６】
ステップＳ１８において時分割多重・直交変調部２１４は、主信号系２１１と制御信号系２１２から入力された情報信号を時分割多重し、直交変調して送信する。
【０１０７】
ステップＳ１９において終了が指示されたと判定されるまで、以上の処理が繰り返される。
【０１０８】
［フレーム構成]
ここでフレーム構成について説明する。
【０１０９】
図１４は、高度ＢＳのフレームの構成を説明する図である。同図に示されるように、１フレームは、１２０の変調スロットで構成されており、この例では、各変調スロットが、変調スロット＃１乃至変調スロット＃１２０として示されている。
【０１１０】
各変調スロットには、同期のための２４シンボル（図１４には、ＦＳｙｎｃ、！ＦＳｙｎｃ、ＳＳｙｎｃと示されている）が設けられている。また、信号点の位置の判定などに用いられる３２シンボル（伝送信号点配置情報と称される。図１４には、Ｐと示されている）が設けられている。これらのシンボルは既知シンボルとされ、同期のための２４シンボルにより表わされる系列と、信号点の位置の判定などに用いられる３２シンボルにより表わされる系列は、規格により定められている。
【０１１１】
図１５は、伝送信号点配置情報を説明する図である。図１５には、３２ＡＰＳＫの場合の３２個の伝送信号点配置情報のシンボルのうち、第１のシンボル（図１５Ａ）、第２のシンボル（図１５Ｂ）、並びに第３２のシンボル（図１５Ｃ）が示されている。第１シンボルは、値０（０００００）のシンボルであり、第２のシンボルは、値１（００００１）のシンボルであり、第３２のシンボルは、値３１（１１１１１）のシンボルである。
【０１１２】
図１６は、伝送信号点配置情報を説明する図である。図１６には、１６ＡＰＳＫの場合の１６個の伝送信号点配置情報のシンボルのうち、第１のシンボル（図１６Ａ）、第２のシンボル（図１６Ｂ）、並びに第３２のシンボル（図１６Ｃ）が示されている。第１シンボルは、値０（００００）のシンボルであり、第２のシンボルは、値１（０００１）のシンボルであり、第１６のシンボルは、値１５（１１１１）のシンボルである。  
【０１１３】
上述した同期のための２４シンボルは、同期信号とも称され、フレームを構成する先頭の変調スロットにはＦＳｙｎｃが配置され、２番目の変調スロットにはＳＳｙｎｃのシンボルが配置されることが規格により定められている。さらに３番目以降のスロットにはＦＳｙｎｃの反転シンボルである！ＦＳｙｎｃとＳＳｙｎｃのシンボルがスロット毎に交互に配置されることが規格により定められている。
【０１１４】
ＳＳｙｎｃは２変調スロットに１回ずつ規則的に配置されていることから、変調スロットの先頭を検出するために用いられることが一般的に想定されている。また、ＦＳｙｎｃはフレームの先頭スロット以外は反転シンボルが配置されることから、相関値の符号を見ることによりフレームの先頭を検出するために用いられることが一般的に想定されている。
【０１１５】
また、各変調スロットには、１３６シンボルで構成される６６の伝送データが含まれている。例えば、変調スロット＃１における伝送データは、Ｄａｔａ＃１乃至Ｄａｔａ＃６６として示されており、変調スロット＃２における伝送データは、Ｄａｔａ＃６７乃至Ｄａｔａ＃１３２として示されている。なお、各変調スロットに含まれる１３６シンボルで構成される６６の伝送データのそれぞれは、伝送主信号とも称される。
【０１１６】
さらに、各変調スロットにおいては、伝送・多重に関する制御情報であって４シンボルで構成されるＴＭＣＣ情報が、各伝送データの間に挿入されている。図中では、Ｔとして示されているものがＴＭＣＣ情報である。
【０１１７】
以上のように構成される図１４の高度ＢＳの１フレームは、合計１,１１５,５２０シンボルで構成されることになる。
【０１１８】
また、高度ＢＳでは１フレーム内に複数の変調方式を混在させることが可能となる。例えば、１フレーム内に最大８の伝送モードを定義することが可能であり、個々の伝送モードにおいて異なる変調方式が採用されるようにすることができる。高度ＢＳでは、図１に示したように、ＢＰＳＫ、ＱＰＳＫ、８ＰＳＫ、１６ＡＰＳＫ、および３２ＡＰＳＫの５種類の変調方式を用いることが可能とされている。
【０１１９】
高度ＢＳでは、変調スロット毎に伝送モードを定義して伝送主信号を上述の５種類の変調方式のいずれかによって変調することができる。この際、伝送信号点配置信号は、伝送主信号と同じ変調方式で変調されるように規定されている。
【０１２０】
各変調スロットの伝送モードは、当該フレームより２フレーム前のＴＭＣＣを解析することにより特定することができるようになされている。従って、受信装置は、２フレーム前に受信したフレームの各変調スロットに挿入されたＴＭＣＣを全て取得して記憶しておくことにより、受信したフレームの各変調スロットの変調方式を特定するようになされている。
【０１２１】
なお、各変調スロットの伝送モードに関わらず、同期のための２４シンボル（同期信号）は、常にパイ（ギリシア文字）／２ＢＰＳＫ変調方式により変調されるようになされている。また、各変調スロットの伝送モードに関わらず、ＴＭＣＣは、常にパイ（ギリシア文字）／２ＢＰＳＫ変調方式により変調されるようになされている。
【０１２２】
ところで、ＡＰＳＫ変調方式を採用する場合、ＰＳＫ変調方式を採用した場合と比較して、増幅器の非線形特性による影響を受けやすくなる。すなわち、ＡＰＳＫではＰＳＫと比べて振幅変動のダイナミックレンジが大きくなることから、送信増幅器や受信増幅器の非線形性によって生じる伝送路歪みの影響がより顕著となるのである。
【０１２３】
［リファレンス装置]
次にリファレンス装置３０１について説明する。図１７は、本技術のリファレンス装置の一実施の形態の構成を示すブロック図である。リファレンス装置３０１は、チャンネル選択部３１１、直交検波部３１２、ＴＭＣＣ復号部３１３、ＬＤＰＣ符号復号部３１４、エネルギー逆拡散部３１５、およびＢＣＨ符号復号部３１６を有している。
【０１２４】
チャンネル選択部３１１は、送信装置２０１から送信されてきた信号を受信して得られるＢＳ−ＩＦ信号から、指定されたチャンネルの信号を選択する。直交検波部３１２は、チャンネル選択部３１１により選択されたチャンネルの信号から、Ｉ信号とＱ信号を検波する。ＴＭＣＣ復号部３１３は直交検波部３１２から出力されたＩ信号とＱ信号から、ＴＭＣＣ情報を復号し、復号結果を各部に出力する。
【０１２５】
ＬＤＰＣ符号復号部３１４は、復号されたＴＭＣＣ情報に基づいて、直交検波部３１２から出力されたＩ信号とＱ信号からＬＤＰＣ符号を復号し、復号信号を出力する。エネルギー逆拡散部３１５は、ＬＤＰＣ符号復号部３１４により復号して得られた信号を、復号されたＴＭＣＣ情報に基づいて、エネルギー逆拡散する。ＢＣＨ符号復号部３１６は、復号されたＴＭＣＣ情報に基づいて、エネルギー逆拡散された信号からＢＣＨ符号を復号し、復号信号を出力する
【０１２６】
図１８は、本技術のリファレンス装置の直交検波部の一実施の形態の構成を示すブロック図である。すなわち、図１８は、図１７の直交検波部３１２の詳細な構成を示すブロック図である。
【０１２７】
直交検波部３１２は、複素乗算部３５１、ＲＲＦ（Route Roll-off Filter）３５２，３５３、位相誤差テーブル３５４、ＬＦ（Loop Filter）３５５、ＮＣＯ（Numerically Controlled Oscillator）３５６、伝送信号点配置信号抽出部３５７、伝送信号点配置信号平均化部３５８、位相誤差テーブル生成部３５９、および歪情報生成部３６０により構成されている。
【０１２８】
複素乗算部３５１は、図１７のチャンネル選択部３１１から入力されたＩ信号とＱ信号を複素乗算する。その出力のうちＩ信号はＲＲＦ３５２により、Ｑ信号はＲＲＦ３５３により、それぞれフィルタ処理され、位相誤差テーブル３５４に供給される。位相誤差テーブル３５４には、復調されたＴＭＣＣ信号に含まれる変調方式・符号化率選択信号が供給されている。ＬＦ３５５は、位相誤差テーブル３５４から読み出された信号をフィルタ処理し、ＮＣＯ３５６に供給する。
【０１２９】
伝送信号点配置信号抽出部３５７は、ＲＲＦ３５２，３５３の出力から伝送信号点配置信号を抽出する。伝送信号点配置信号抽出部３５７には、復調されたＴＭＣＣ信号に含まれる伝送信号点配置信号のタイミング信号が供給されている。伝送信号点配置信号平均化部３５８は、抽出された伝送信号点配置信号を平均化する。位相誤差テーブル生成部３５９は平均化された伝送信号点配置信号に基づいて位相誤差テーブルを作成する。歪情報生成部３６０は、平均化された伝送信号点配置信号に基づいて歪情報を生成する。この歪情報は送信装置２０１に供給される。
【０１３０】
図１９は、本技術のリファレンス装置のＬＤＰＣ符号復号部の一実施の形態の構成を示すブロック図である。すなわち、図１９は、図１７のＬＤＰＣ符号復号部３１４の詳細な構成を示すブロック図である。
【０１３１】
ＬＤＰＣ符号復号部３１４は、伝送信号点配置信号抽出部３８１、伝送信号点配置信号平均化部３８２、尤度テーブル生成部３８３、尤度テーブル３８４、および復号部３８５から構成されている。
【０１３２】
伝送信号点配置信号抽出部３８１は、図１７および図１８の直交検波部３１２の出力から伝送信号点配置信号を抽出する。伝送信号点配置信号抽出部３８１には、復調されたＴＭＣＣ信号に含まれる伝送信号点配置信号のタイミング信号が供給されている。伝送信号点配置信号平均化部３８２は、抽出された送信号点配置信号を平均化する。
【０１３３】
尤度テーブル生成部３８３は、平均化された伝送信号点配置信号を理想信号点として、各信号点にマッピングされるバイナリ系列を構成する各ビットの対数尤度比（ＬＬＲ)を算出して尤度テーブルを生成する。生成された尤度テーブルが尤度テーブル３８４に書き込まれる。尤度テーブル３８４には、復調されたＴＭＣＣ信号に含まれる変調方式・符号化率選択信号が供給されている。復号部３８５は、尤度テーブル３８４を利用して直交検波部３１２の出力からＬＤＰＣ符号を復号し、復号信号を出力する。
【０１３４】
［リファレンス処理]
次に図２０を参照して図１７のリファレンス装置３０１が実行するリファレンス処理について説明する。
【０１３５】
ステップＳ１０１においてチャンネル選択部３１１は、ユーザの指示に基づいて受信する信号のチャンネルを選択する。ステップＳ１０２において直交検波部３１２は、直交検波処理を実行する。その詳細は、図２１を参照して後述する。
【０１３６】
ステップＳ１０３においてＴＭＣＣ復号部３１３は、直交検波部３１２の出力するＩ信号とＱ信号からＴＭＣＣを復号し、復号結果を各部に出力する。ステップＳ１０４においてＬＤＰＣ符号復号部３１４は、ＬＤＰＣ符号復号処理を実行する。その処理の詳細は、図２２を参照して説明する。
【０１３７】
ステップＳ１０５においてエネルギー逆拡散部３１５は、ＬＤＰＣ符号復号部３１４から出力された信号のエネルギー逆拡散を行う。この処理は、図１０の送信装置２０１における電力拡散部２２３，２３３，２４０における拡散処理と逆の処理である。
【０１３８】
ステップＳ１０６においてＢＣＨ符号復号部３１６は、逆拡散された信号からＢＣＨ符号を復号し、復号信号を出力する。
【０１３９】
以上の処理は、ステップＳ１０７において処理の終了が指示されたと判定されるまで繰り返される。
【０１４０】
次に図２０のステップＳ１０２における直交検波処理の詳細について、図２１を参照して説明する。図２１は、本技術のリファレンス装置の直交検波部の直交検波処理を説明するフローチャートである。すなわち、図１７と図１８の直交検波部３１２がステップＳ１０２において実行する処理である。
【０１４１】
ステップＳ１５１において複素乗算部１５１は、複素乗算処理を実行する。ステップＳ１５２においてＲＲＦ３５２，３５３は、複素乗算部１５１の出力するＩ信号とＱ信号をそれぞれフィルタ処理する。ステップＳ１５３においてＬＦ３５５は、位相誤差テーブルからの信号に基づいて制御信号を生成する。ステップＳ１５４においてＮＣＯ３５６は、ＬＦ３５５により生成された制御信号に基づいて複素乗算に用いる搬送波信号を発生する。
【０１４２】
以上の複素乗算部３５１、ＲＲＦ３５２，３５３、位相誤差テーブル３５４、ＬＦ３５５、およびＮＣＯ３５６のＰＬＬ処理は、受信信号の位相の回転を停止させるように機能する。
【０１４３】
ステップＳ１５５において伝送信号点配置信号抽出部３５７は、ＲＲＦ３５２，３５３の出力から、伝送信号点配置信号を抽出する。ステップＳ１５６において伝送信号点配置信号平均化部３５８は、抽出された伝送信号点配置信号を平均化する。ステップＳ１５７において位相誤差テーブル生成部３５９は、平均化された伝送信号点配置信号に基づいて、位相誤差テーブルを更新する。更新された位相誤差テーブルに基づいて上述したステップＳ１５１乃至ステップＳ１５４の処理が繰り返される。
【０１４４】
ステップＳ１５８において歪情報生成部３６０は、平均化された伝送信号点配置信号に基づいて歪情報を生成する。上述したように、この歪情報は、図１０の送信装置２０１に送信され、その受信部２４１により受信される。そして図１２のＴＭＣＣ情報の拡張情報として各受信装置５０１に送信される。
【０１４５】
以上の処理は、ステップＳ１５９において終了が指示されたと判定されるまで繰り返される。なお、レファレンス処理は、常時行ってもよいし、所定のタイミングで所定の時間間隔で行ってもよい。
【０１４６】
次に図２０のステップＳ１０４におけるＬＤＰＣ符号復号処理の詳細について、図２２を参照して説明する。図２２は、本技術のリファレンス装置のＬＤＰＣ符号復号部のＬＤＰＣ符号復号処理を説明するフローチャートである。すなわち、図１７と図１９のＬＤＰＣ符号復号部３１４がステップＳ１０４において実行する処理である。
【０１４７】
ステップＳ１８１において伝送信号点配置信号抽出部３８１は、直交検波部３１２より供給されたＩ信号とＱ信号から、伝送信号点配置信号を抽出する。ステップＳ１８２において伝送信号点配置信号平均化部３８２は、抽出された伝送信号点配置信号を平均化する。ステップＳ１８３において尤度テーブル生成部３８３は、尤度テーブルを生成し、尤度テーブル３８４に書き込む。
【０１４８】
ステップＳ１８４において復号部３８５は、尤度テーブル３８４に基づいて、直交検波部３１２より供給されたＩ信号とＱ信号からＬＤＰＣ符号を復号し、復号信号を、図１７のエネルギー逆拡散部３１５に供給する。
【０１４９】
以上の処理は、ステップＳ１８５において処理の終了が指示されたと判定されるまで繰り返される。
【０１５０】
［受信装置]
次に受信装置５０１について説明する。図２３は、本技術の受信装置の第１の実施の形態の構成を示すブロック図である。すなわち、図２３は、送信装置２０１が衛星１１４を介して送信した信号を、例えば一般の住宅１１３（図９）で受信する装置の構成を表している。
【０１５１】
受信装置５０１は、チャンネル選択部５１１、直交検波部５１２、ＴＭＣＣ復号部５１３、ＬＤＰＣ符号復号部５１４、エネルギー逆拡散部５１５、およびＢＣＨ符号復号部５１６を有している。
【０１５２】
チャンネル選択部５１１は、送信装置２０１から送信されてきた信号を受信して得られるＢＳ−ＩＦ信号から、指定されたチャンネルの信号を選択する。直交検波部５１２は、チャンネル選択部５１１により選択されたチャンネルの信号から、Ｉ信号とＱ信号を検波する。ＴＭＣＣ復号部５１３は直交検波部５１２から出力されたＩ信号とＱ信号から、ＴＭＣＣ情報を復号し、復号結果を各部に出力する。
【０１５３】
ＬＤＰＣ符号復号部５１４は、復号されたＴＭＣＣ情報に基づいて、直交検波部５１２から出力されたＩ信号とＱ信号からＬＤＰＣ符号を復号し、復号信号を出力する。エネルギー逆拡散部５１５は、ＬＤＰＣ符号復号部５１４により復号して得られた信号を、復号されたＴＭＣＣ情報に基づいて、エネルギー逆拡散する。ＢＣＨ符号復号部５１６は、復号されたＴＭＣＣ情報に基づいて、エネルギー逆拡散された信号からＢＣＨ符号を復号し、復号信号を出力する。
【０１５４】
このように、受信装置５０１の構成は、図１７に示したリファレンス装置３０１の構成と基本的に同様である。
【０１５５】
図２４は、本技術の受信装置の直交検波部の第１の実施の形態の構成を示すブロック図である。すなわち、図２４は、図２３の直交検波部５１２の詳細な構成を示すブロック図である。
【０１５６】
直交検波部５１２は、複素乗算部５５１、ＲＲＦ５５２，５５３、位相誤差テーブル５５４、ＬＦ５５５、ＮＣＯ５５６、歪後シンボル点再生部５５７、および位相誤差テーブル生成部５５８により構成されている。
【０１５７】
図２４を図１８と比較して明らかなように、図２４の直交検波部５１２においては、図１８の直交検波部３１２の伝送信号点配置信号抽出部３５７、伝送信号点配置信号平均化部３５８、および歪情報生成部３６０が省略されている。その代わりに、図２４の直交検波部５１２においては歪後シンボル点再生部５５７が設けられている。
【０１５８】
複素乗算部５５１は、図２３のチャンネル選択部５１１から入力されたＩ信号とＱ信号を複素乗算し、直交検波する。その出力のうちＩ信号はＲＲＦ５５２により、Ｑ信号はＲＲＦ５５３により、それぞれフィルタ処理され、位相誤差テーブル５５４に供給される。位相誤差テーブル５５４には、復調されたＴＭＣＣ信号に含まれる変調方式・符号化率選択信号が供給されている。ＬＦ５５５は、位相誤差テーブル５５４から読み出された信号をフィルタ処理し、ＮＣＯ５５６に供給する。
【０１５９】
歪後シンボル点再生部５５７は、復号されたＴＭＣＣ情報に含まれる歪情報に基づいて歪後シンボル点を再生する。歪情報は平均化された伝送信号点配置信号に基づいて生成されており、この歪情報に基づいて、平均化された伝送信号点配置信号と実質的に同じ信号を生成される。すなわち、歪後シンボル点再生部５５７は、歪を相殺する信号を生成する。
【０１６０】
位相誤差テーブル生成部５５８は平均化された伝送信号点配置信号と実質的に同じ歪後シンボル点情報に基づいて位相誤差テーブルを作成する。この位相誤差テーブル生成部５５８により生成された位相誤差テーブル５５４の情報に基づいて復調処理が行われる。これにより受信信号点に歪があっても正確な復調が可能となる。従って、位相誤差テーブル生成部５５８と位相誤差テーブル５５４は受信信号点の歪を補償していることになる。
【０１６１】
図２５は、本技術の受信装置のＬＤＰＣ符号復号部の第１の実施の形態の構成を示すブロック図である。すなわち、図２５は、図２３のＬＤＰＣ符号復号部５１４の詳細な構成を示すブロック図である。
【０１６２】
ＬＤＰＣ符号復号部５１４は、歪後シンボル点再生部５８１、尤度テーブル生成部５８２、尤度テーブル５８３、および復号部５８４から構成されている。
【０１６３】
歪後シンボル点再生部５８１は、復号されたＴＭＣＣ情報に含まれる歪情報に基づいて歪後シンボル点を再生する。歪情報は平均化された伝送信号点配置信号に基づいて生成されており、この歪情報に基づいて、平均化された伝送信号点配置信号と実質的に同じ信号が生成される。すなわち、歪後シンボル点再生部５８１は、歪を相殺する信号を生成する。
【０１６４】
尤度テーブル生成部５８２は、平均化された伝送信号点配置信号と実質的に同じ歪後シンボル点を理想信号点として、各信号点にマッピングされるバイナリ系列を構成する各ビットの対数尤度比（ＬＬＲ)を算出して尤度テーブルを生成する。生成された尤度テーブルが尤度テーブル５８２に書き込まれる。これにより受信信号点に歪があっても正確な復号を可能とする尤度テーブル５８３が生成される。従って、尤度テーブル生成部５８２と尤度テーブル５８３は受信信号点の歪を補償していることになる。尤度テーブル５８３には、復調されたＴＭＣＣ信号に含まれる変調方式・符号化率選択信号が供給されている。復号部５８４は、尤度テーブル５８３を利用して直交検波部５１２の出力からＬＤＰＣ符号を復号し、復号信号を出力する。
【０１６５】
図２５を図１９と比較して明らかなように、図２５のＬＤＰＣ符号復号部５１４においては、図１９のＬＤＰＣ符号復号部３１４の伝送信号点配置信号抽出部３８１と伝送信号点配置信号平均化部３８２が省略されている。その代わりに、図２５のＬＤＰＣ符号復号部５１４においては歪後シンボル点再生部５８１が設けられている。
【０１６６】
［受信処理]
次に図２６を参照して図２３の受信装置５０１が実行する受信処理について説明する。図２６は、本技術の受信装置の受信処理を説明するフローチャートである。
【０１６７】
ステップＳ２０１においてチャンネル選択部５１１は、ユーザの指示に基づいて受信する信号のチャンネルを選択する。ステップＳ２０２において直交検波部５１２は、直交検波処理を実行する。その詳細は、図２７を参照して後述する。
【０１６８】
ステップＳ２０３においてＴＭＣＣ復号部５１３は、直交検波部５１２の出力するＩ信号とＱ信号からＴＭＣＣを復号し、復号結果を各部に出力する。ステップＳ２０４においてＬＤＰＣ符号復号部５１４は、ＬＤＰＣ符号復号処理を実行する。その処理の詳細は、図２８を参照して後述する。
【０１６９】
ステップＳ２０５においてエネルギー逆拡散部５１５は、ＬＤＰＣ符号復号部５１４から出力された信号のエネルギー逆拡散を行う。この処理は、図１０の送信装置２０１における電力拡散部２２３，２３３，２４０における拡散処理と逆の処理である。
【０１７０】
ステップＳ２０６においてＢＣＨ符号復号部５１６は、逆拡散された信号からＢＣＨ符号を復号し、復号信号を出力する。
【０１７１】
以上の処理は、ステップＳ２０７において処理の終了が指示されたと判定されるまで繰り返される。
【０１７２】
以上のように、図２６の受信処理は、図２０のリファレンス処理と基本的に同様の処理である。
【０１７３】
次に図２６のステップＳ２０２における直交検波処理の詳細について、図２７を参照して説明する。図２７は、本技術の受信装置の直交検波部の第１の実施の形態の直交検波処理を説明するフローチャートである。すなわち、図２３と図２４の直交検波部５１２がステップＳ２０２において実行する処理である。
【０１７４】
ステップＳ３０１において複素乗算部５５１は、複素乗算処理、すなわち直交検波処理を実行する。ステップＳ３０２においてＲＲＦ５５２，５５３は、複素乗算部５５１の出力するＩ信号とＱ信号をそれぞれフィルタ処理する。
【０１７５】
ステップＳ３０３において歪後シンボル点再生部５５７は、復号されたＴＭＣＣ情報のうちの歪情報に基づいて歪後シンボル点を再生する。歪情報は平均化された伝送信号点配置信号に基づいて生成されており、この歪情報に基づいて、平均化された伝送信号点配置信号と実質的に同じ歪後シンボル点情報が生成される。すなわち、歪後シンボル点再生部５５７は、歪を相殺する信号を生成する。なお、ＴＭＣＣ情報を得るには、直交検波の前にＴＭＣＣ復号処理が必要となる、図２３においては、直交検波された信号からＴＭＣＣ信号が復号されるように示されているため、図２６においては、ステップＳ２０３のＴＭＣＣ復号処理が、ステップＳ２０２の直交検波処理より後に行われるように示されている。しかしこれは説明の便宜のために過ぎない。図２７の直交検波処理のステップＳ３０３においては、過去に復調されたＴＭＣＣ信号に基づいて歪後シンボル点が再生される。
【０１７６】
ステップＳ３０４において位相誤差テーブル生成部５５８は平均化された伝送信号点配置信号と実質的に同じ歪後シンボル点情報に基づいて位相誤差テーブルを生成し、位相誤差テーブル５５４に書き込む。
【０１７７】
ステップＳ３０５においてＬＦ５５５は、位相誤差テーブル５５４からの信号に基づいて制御信号を生成する。ステップＳ３０６においてＮＣＯ５５６は、ＬＦ５５５により生成された制御信号に基づいて複素乗算に用いる搬送波信号を発生する。
【０１７８】
以上の複素乗算部５５１、ＲＲＦ５５２，５５３、位相誤差テーブル５５４、ＬＦ５５５、およびＮＣＯ５５６のＰＬＬ処理は、受信信号の位相の回転を停止させるように機能する。
【０１７９】
以上の処理は、ステップＳ３０７において終了が指示されたと判定されるまで繰り返される。
【０１８０】
次に図２６のステップＳ２０４におけるＬＤＰＣ符号復号処理の詳細について、図２８を参照して説明する。図２８は、本技術の受信装置のＬＤＰＣ符号復号部のＬＤＰＣ符号復号処理を説明するフローチャートである。すなわち、図２３と図２５のＬＤＰＣ符号復号部５１４がステップＳ２０４において実行する処理である。
【０１８１】
ステップＳ３５１において歪後シンボル点再生部５８１は、復号されたＴＭＣＣ情報のうちの歪情報に基づいて歪後シンボル点を再生する。歪情報は平均化された伝送信号点配置信号に基づいて生成されており、この歪情報に基づいて、平均化された伝送信号点配置信号と実質的に同じ歪後シンボル点情報を生成される。すなわち、歪後シンボル点再生部５８１は、歪を相殺する信号を生成する。
【０１８２】
ステップＳ３５２において尤度テーブル生成部５８２は平均化された伝送信号点配置信号と実質的に同じ歪後シンボル点情報に基づいて尤度テーブルを生成し、尤度テーブル５８３に書き込む。
【０１８３】
ステップＳ３５３において復号部５８４は、尤度テーブル５８３に基づいて、直交検波部５１２より供給されたＩ信号とＱ信号からＬＤＰＣ符号を復号し、復号信号を、図２３のエネルギー逆拡散部５１５に供給する。
【０１８４】
以上の処理は、ステップＳ３５４において処理の終了が指示されたと判定されるまで繰り返される。
【０１８５】
以上のように、第１の実施の形態においては、リファレンス装置３０１で歪情報を検出し、その歪情報を送信装置２０１に供給し、送信装置２０１から受信装置５０１に送信するようにした。そして受信装置５０１において歪情報に基づいて、実質的に平均化した伝送信号点配置信号と同じ歪後シンボル点情報を生成するようにした。従って、受信装置５０１においては、伝送信号点配置情報抽出部や伝送信号点配置情報平均化部を省略することができる。その結果、次のような効果を奏することが可能となる。
【０１８６】
（１）平均化処理の待ち時間が不要になる。
（２）より高速に非線形歪みを補償して復調または復号することができる。
（３）同期性能を向上することができる。
（４）チャンネル選局時間を高速化することができる。
（５）受信装置の製造コストを削減することができる。
（６）変調信号の切り替え前に事前に歪情報を送信することで、切り替え後、すぐに歪情報を活用し、同期回路、尤度計算に用いることができる。
【０１８７】
＜第２の実施の形態（タイマー）＞
［送信装置］
第２の実施の形態の送信装置２０１とリファレンス装置３０１の構成と動作は、第１の実施の形態の場合と同様である。その説明は繰り返しになるので省略する。
【０１８８】
［受信装置］
第２の実施の形態における受信装置５０１の基本的な構成と動作は、図２３と図２６に示した第１の実施の形態の場合と同様である。その説明は、繰り返しになるので省略する。ただし、受信装置５０１の直交検波部５１２とＬＤＰＣ符号復号部５１４の構成が第１の実施の形態の場合と異なり、図２９と図３０に示される直交検波部５１２とＬＤＰＣ符号復号部５１４のようになる。
【０１８９】
図２９は、本技術の受信装置５０１の直交検波部５１２の第２の実施の形態の構成を示すブロック図である。すなわち、第２の実施の形態の直交検波部５１２は、複素乗算部５５１、ＲＲＦ５５２，５５３、位相誤差テーブル５５４、ＬＦ５５５、ＮＣＯ５５６、位相誤差テーブル生成部５５８を有する。また、直交検波部５１２は、伝送信号点配置信号抽出部５５９、伝送信号点配置信号平均化部１００１、および選択部１００２を有している。さらに第２の実施の形態の直交検波部５１２は、第１の実施の形態の直交検波部５１２と同様に、歪後シンボル点再生部５５７を有している。
【０１９０】
複素乗算部５５１、ＲＲＦ５５２，５５３、位相誤差テーブル５５４、ＬＦ５５５、ＮＣＯ５５６、位相誤差テーブル生成部５５８は、図２４の第１の実施の形態の直交検波部５１２における場合と同様の機能を有している。
【０１９１】
伝送信号点配置信号抽出部５５９は、ＲＲＦ３５２，３５３の出力から伝送信号点配置信号を抽出する。伝送信号点配置信号抽出部５５９には、復調されたＴＭＣＣ信号に含まれる伝送信号点配置信号のタイミング信号が供給されている。伝送信号点配置信号平均化部１００１は、抽出された伝送信号点配置信号を平均化する。これらの伝送信号点配置信号抽出部５５９と伝送信号点配置信号平均化部１００１は、リファレンス装置３０１の直交検波部３１２（図１８）の伝送信号点配置信号抽出部３５７と伝送信号点配置信号平均化部３５８と同様に機能する。歪後シンボル点再生部５５７は、図２４の第１の実施の形態の直交検波部５１２における場合と同様の機能を有している。
【０１９２】
ただし、第２の実施の形態の伝送信号点配置信号平均化部１００１は、平均化処理の完了を表す平均化終了情報を出力するタイマーを内蔵している。平均化終了情報は、平均化処理が終了したとき値「１」、未終了（平均化処理前および平均化処理中）のとき値「０」とすることができる。例えば１００個のシンボルを平均化する必要がある場合、最初の１シンボル目から９９シンボル目までは未終了となり、１００シンボル目以降は終了となる。１００シンボル目以降は、移動平均をとる形で、最新の１００シンボルの平均値を常に計算し続ける動作が行われる。
【０１９３】
選択部１００２は、平均化終了情報が終了を表すとき伝送信号点配置信号平均化部１００１の出力を選択し、未終了を表すとき歪後シンボル点再生部５５７の出力を選択する。選択された信号が位相誤差テーブル生成部５５８に供給される。
【０１９４】
図２９を図２４と比較して明らかなように、図２９の直交検波部５１２においては、図２４の直交検波部５１２においては設けられていない伝送信号点配置信号抽出部５５９、伝送信号点配置信号平均化部１００１、および選択部１００２が設けられている。
【０１９５】
図３０は、本技術の受信装置５０１のＬＤＰＣ符号復号部５１４の第２の実施の形態の構成を示すブロック図である。すなわち、第２の実施の形態のＬＤＰＣ符号復号部５１４は、尤度テーブル生成部５８２、尤度テーブル５８３、および復号部５８４を有している。これらの機能は、図２５の第１の実施の形態のＬＤＰＣ符号復号部５１４における場合と同様である。
【０１９６】
図３０のＬＤＰＣ符号復号部５１４はまた、伝送信号点配置信号抽出部１５９１、伝送信号点配置信号平均化部１５９２、および選択部１５９３を有している。
【０１９７】
伝送信号点配置信号抽出部１５９１と伝送信号点配置信号平均化部１５９２の機能は、図１９のリファレンス装置３０１のＬＤＰＣ符号復号部３１４における伝送信号点配置信号抽出部３８１と伝送信号点配置信号平均化部３８２と同様である。
【０１９８】
ただし、第２の実施の形態の伝送信号点配置信号平均化部１５９２は、図２９の伝送信号点配置信号平均化部１００１と同様に機能し、平均化処理の完了を表す平均化終了情報を出力するタイマーを内蔵している。
【０１９９】
選択部１５９３は、平均化終了情報が終了を表すとき伝送信号点配置信号平均化部１５９２の出力を選択し、未終了を表すとき歪後シンボル点再生部５８１の出力を選択する。選択された信号が尤度テーブル生成部５８２に供給される。
【０２００】
図３０を図２５と比較して明らかなように、図３０のＬＤＰＣ符号復号部５１４においては、図２５のＬＤＰＣ符号復号部５１４においては設けられていない伝送信号点配置信号抽出部１５９１、伝送信号点配置信号平均化部１５９２、および選択部１５９３が設けられている。
【０２０１】
［直交検波処理］
次に、図３１を参照して図２９の直交検波部５１２の直交検波処理について説明する。図３１は、本技術の受信装置５０１の直交検波部５１２の第２の実施の形態の直交検波処理を説明するフローチャートである。
【０２０２】
ステップＳ２３０１において複素乗算部５５１は、複素乗算処理し、直交検波を実行する。ステップＳ２３０２においてＲＲＦ５５２，５５３は、複素乗算部５５１の出力するＩ信号とＱ信号をそれぞれフィルタ処理する。ステップＳ２３０３においてＬＦ５５５は、位相誤差テーブルからの信号に基づいて制御信号を生成する。ステップＳ２３０４においてＮＣＯ５５６は、ＬＦ５５５により生成された制御信号に基づいて複素乗算に用いる搬送波信号を発生する。
【０２０３】
以上の複素乗算部５５１、ＲＲＦ５５２，５５３、位相誤差テーブル５５４、ＬＦ５５５、およびＮＣＯ５５６のＰＬＬ処理は、受信信号の位相の回転を停止させるように機能する。
【０２０４】
ステップＳ２３０５において伝送信号点配置信号抽出部５５９は、ＲＲＦ５５２，５５３の出力から、伝送信号点配置信号を抽出する。ステップＳ２３０６において伝送信号点配置信号平均化部１００１は、伝送信号点配置信号を平均化する。伝送信号点配置信号平均化部１００１は平均化処理に伴ってタイマーを動作させ、平均化終了情報を生成し、選択部１００２に供給する。
【０２０５】
ステップＳ２３０７において選択部１００２は、平均化終了情報に基づいて平均化処理が終了したかを判定する。平均化処理が終了した場合、ステップＳ２３０８において選択部１００２は、伝送信号点配置信号の平均化信号を選択する。
【０２０６】
平均化処理が終了していない場合、ステップＳ２３０９において歪後シンボル点再生部５５７は、復調されたＴＭＣＣ信号に含まれる歪情報に基づいて歪後シンボル点を再生する。選択部１００２は再生された歪後シンボル点を選択し、位相誤差テーブル生成部５５８に供給する。これにより受信信号点に歪があっても正確な復調を可能とする位相誤差テーブル５５８が生成される。従って、位相誤差テーブル生成部５５８と位相誤差テーブル５５４は受信信号点の歪を補償していることになる。
【０２０７】
ステップＳ２３１０において位相誤差テーブル生成部５５８は、再生された歪後シンボル点または平均化された伝送信号点配置信号に基づいて、位相誤差テーブルを更新する。更新された位相誤差テーブルに基づいて上述したステップＳ２３０１乃至ステップＳ２３０４の処理が繰り返される。
【０２０８】
以上の処理は、ステップＳ２３１１において終了が指示されたと判定されるまで繰り返される。
【０２０９】
［ＬＤＰＣ符号復号処理］
次に図３０のＬＤＰＣ符号復号部５１４が実行するＬＤＰＣ符号復号処理の詳細について、図３２を参照して説明する。図３２は、本技術の受信装置５０１のＬＤＰＣ符号復号部５１４の第２の実施の形態のＬＤＰＣ符号復号処理を説明するフローチャートである。
【０２１０】
ステップＳ２３５１において伝送信号点配置信号抽出部１５９１は、直交検波部５１２より供給されたＩ信号とＱ信号から、伝送信号点配置信号を抽出する。ステップＳ２３５２において伝送信号点配置信号平均化部１５９２は、伝送信号点配置信号を平均化する。伝送信号点配置信号平均化部１５９２は平均化処理に伴ってタイマーを動作させ、平均化終了情報を生成し、選択部１５９３に供給する。
【０２１１】
ステップＳ２３５３において選択部１５９３は、平均化終了情報に基づいて平均化処理が終了したかを判定する。平均化処理が終了した場合、ステップＳ２３５４において選択部１５９３は、伝送信号点配置信号の平均化信号を選択し、尤度テーブル生成部５８２に供給する。
【０２１２】
平均化処理が終了していない場合、ステップＳ２３５５において歪後シンボル点再生部５８１は、復調されたＴＭＣＣ信号に含まれる歪情報に基づいて歪後シンボル点を再生する。選択部１５９３は再生された歪後シンボル点を選択し、尤度テーブル生成部５８２に供給する。
【０２１３】
ステップＳ２３５６において尤度テーブル生成部５８２は、再生された歪後シンボル点または平均化された伝送信号点配置信号に基づいて、尤度テーブルを生成し、尤度テーブル５８３に書き込む。
【０２１４】
ステップＳ２３５７において復号部５８４は、尤度テーブル５８３に基づいて、直交検波部５１２より供給されたＩ信号とＱ信号からＬＤＰＣ符号を復号し、復号信号を、図２３のエネルギー逆拡散部５１５に供給する。
【０２１５】
以上の処理は、ステップＳ２３５８において処理の終了が指示されたと判定されるまで繰り返される。
【０２１６】
第２の実施の形態においては、伝送信号点配置信号の平均化処理が終了していない場合、歪後シンボル点が再生され、それに基づいて位相誤差テーブルまたは尤度テーブルが生成される。従って、伝送信号点配置信号の平均化処理に時間がかかり、高速な処理が困難になるといった課題は解決することができる。
【０２１７】
なお、第１の実施の形態と第２の実施の形態においても、後述する第３の実施の形態において説明する事前歪補償を併用することができる。このようにすれば、受信信号の歪みをより少なくすることができる。
【０２１８】
＜第３の実施の形態（事前の歪補償）＞
［送信装置］
以上の第１の実施の形態と第２の実施の形態においては、リファレンス装置３０１で検出された歪情報を送信装置２０１から受信装置５０１に送信し、受信装置５０１において歪情報に基づいて歪を補償するようにした。それに対して第３の実施の形態においては、検出された歪情報に基づいて、送信装置２０１において事前に歪補償が行われる。
【０２１９】
第３の実施の形態における送信装置２０１の構成は、図１０に示した場合と同様であり、その説明は省略するが、この実施の形態においては、歪補償部２１３が利用される。
【０２２０】
［送信処理］
ここで第３の実施の形態における送信処理について、図３３を参照して説明する。図３３は、本技術の送信装置の第３の実施の形態の送信処理を説明するフローチャートである。
【０２２１】
ステップＳ３４０１においてフレーム構成部２２１は、入力されたＴＬＶ形式の信号およびＴＳ形式の信号からフレームを構成する。
【０２２２】
ステップＳ３４０２において外符号誤り訂正付加部２２２は、フレーム構成された信号にＢＣＨ符号からなる外符号の誤り訂正符号を付加する。ステップＳ３４０３において電力拡散部２２３は、誤り訂正符号を付加された信号の電力を拡散する。
【０２２３】
ステップＳ３４０４において内符号誤り訂正付加部２２４は、電力拡散された信号にＬＤＰＣ符号からなる内符号の誤り訂正符号を付加する。ステップＳ３４０５においてビットインターリーブ部２２５は、入力された信号のうち、変調方式が８ＰＳＫ，１６ＡＰＳＫ，３２ＡＰＳＫの信号をビットインターリーブする。その他の変調方式の信号はビットインターリーブされない。
【０２２４】
ステップＳ３４０６においてマッピング部２２６は、内符号誤り訂正付加部２２４およびビットインターリーブ部２２５より供給された信号を、５種類の変調方式のうちの指定された変調方式でマッピングする。
【０２２５】
ステップＳ３４０７において受信部２４１は歪情報を受信する。この歪情報は、上述した図１７のリファレンス装置３０１の図１８に示される直交検波部３１２の歪情報生成部３６０により、図２１のステップＳ１５８の処理で生成され、送信されてきたものである。すなわち、この歪情報は、送信装置２０１が衛星１１４を介して既に送信した信号をリファレンス装置３０１が受信し、その受信信号の歪を実際に検出した結果得られた情報である。
【０２２６】
歪情報の種類は、第１の実施の形態における場合と同様である。
【０２２７】
ステップＳ３４０８において、ＴＭＣＣ情報生成部２３１は、入力された各ストリームを伝送する際の伝送パラメータ(ＴＭＣＣ１，ＴＭＣＣ２，・・・,ＴＭＣＣｋ)に基づいて、ＴＭＣＣ情報を生成する。
【０２２８】
第３の実施の形態におけるＴＭＣＣ情報の構成は第１の実施の形態における場合と基本的に同様である。すなわち、図１２に示されるように構成される。ただし、その拡張情報には、歪情報に代えて、歪補償情報が挿入される。歪補償情報は、送信装置２０１において歪補償を行ったことを表す情報であり、歪補償が行われている場合、例えば「１」とされ、行われていない場合「０」とされる。
【０２２９】
ステップＳ３４０９において外符号誤り訂正付加部２３２は、ＴＭＣＣ情報生成部２３１で生成されたＴＭＣＣ情報にＢＣＨ符号からなる外符号の誤り訂正符号を付加する。ステップＳ３４１０において電力拡散部２３３は、誤り訂正符号を付加された信号の電力を拡散する。
【０２３０】
ステップＳ３４１１において内符号誤り訂正付加部２３４は、電力拡散された信号にＬＤＰＣ符号からなる内符号の誤り訂正符号を付加する。
【０２３１】
ステップＳ３４１２においてマッピング部２３５は、内符号誤り訂正付加部２３４より供給された信号を、パイ（ギリシア文字）／２シフトＢＰＳＫの変調方式でマッピングする。
【０２３２】
ステップＳ３４１３において同期信号生成部は同期信号を生成する。ステップＳ３４１４においてマッピング部２３７は、同期信号を、パイ（ギリシア文字）／２シフトＢＰＳＫの変調方式でマッピングする。
【０２３３】
ステップＳ３４１５において信号点配置情報生成部２３８は、信号点配置情報を生成する。この信号点配置情報は図１５を参照して説明した通りである。ステップＳ３４１６においてマッピング部２３９は、信号点配置情報を、５種類の変調方式のうちの指定された変調方式でマッピングする。ステップＳ３４１７において電力拡散部２４０は、マッピングされた信号点配置情報を電力拡散する。
【０２３４】
なお、以上のステップＳ３４０１乃至ステップＳ３４０６の主信号系２１１における主情報信号の処理と、ステップＳ３４０７乃至ステップＳ３４１７の制御信号系２１２の制御信号の処理を、便宜上時系列に説明したが、実際には並行して実施される。
【０２３５】
ステップＳ３４１８において歪補償部２１３は、主信号系２１１と制御信号系２１２から入力された情報信号を、ステップＳ３４０７の処理で受信した歪情報に基づいて、歪補償する。この歪補償は、衛星１１４における非線形特性を考慮して、その特性が線形になるように、すなわち非直線特性を相殺するように、相補的に補償する。すなわち、例えば送信信号点のベクトルと受信信号点のベクトルとの差分ベクトルの逆ベクトルに基づき送信信号点が補償される。
【０２３６】
ステップＳ３４１９において時分割多重・直交変調部２１４は、事前に歪補償された主信号系２１１と制御信号系２１２からの情報信号を時分割多重し、直交変調して送信する。
【０２３７】
ステップＳ３４２０において終了が指示されたと判定されるまで、以上の処理が繰り返される。
【０２３８】
［リファレンス装置］
第３の実施の形態におけるリファレンス装置３０１の構成と動作は、第１の実施の形態における場合、すなわち、図１７乃至図２２を参照して説明した場合と同様である。
【０２３９】
［受信装置］
第３の実施の形態における受信装置５０１の基本的な構成と動作は、図２３と図２６に示した第１の実施の形態の場合と同様である。その説明は、繰り返しになるので省略する。ただし、受信装置５０１の直交検波部５１２とＬＤＰＣ符号復号部５１４は、第１の実施の形態の場合と異なり、図３４と図３５の直交検波部５１２とＬＤＰＣ符号復号部５１４のように構成される。
【０２４０】
図３４は、本技術の受信装置５０１の直交検波部５１２の第３の実施の形態の構成を示すブロック図である。すなわち、第３の実施の形態の直交検波部５１２は、複素乗算部５５１、ＲＲＦ５５２，５５３、位相誤差テーブル５５４、ＬＦ５５５、ＮＣＯ５５６、位相誤差テーブル生成部５５８を有する。また、直交検波部５１２は、伝送信号点配置信号抽出部５５９、伝送信号点配置信号平均化部１００１、送信信号点情報供給部１７０１、および選択部１００２を有している。
【０２４１】
複素乗算部５５１、ＲＲＦ５５２，５５３、位相誤差テーブル５５４、ＬＦ５５５、ＮＣＯ５５６、位相誤差テーブル生成部５５８は、図２４の第１の実施の形態の直交検波部５１２における場合と同様の機能を有している。
【０２４２】
伝送信号点配置信号抽出部５５９は、ＲＲＦ３５２，３５３の出力から伝送信号点配置信号を抽出する。伝送信号点配置信号抽出部５５９には、復調されたＴＭＣＣ信号に含まれる伝送信号点配置信号のタイミング信号が供給されている。伝送信号点配置信号平均化部１００１は、抽出された伝送信号点配置信号を平均化する。これらの伝送信号点配置信号抽出部５５９と伝送信号点配置信号平均化部１００１は、リファレンス装置３０１の直交検波部３１２（図１８）の伝送信号点配置信号抽出部３５７と伝送信号点配置信号平均化部３５８と同様に機能する。
【０２４３】
送信信号点情報供給部１７０１は、送信信号点情報を供給する。送信信号点情報は、送信信号点の絶対座標または相対座標、すなわち歪のない状態の座標で表される。送信信号点情報は、歪のない、すなわち歪が補償された信号を復調するための基準信号である。選択部１００２は、伝送信号点配置信号平均化部１００１または送信信号点情報供給部１７０１の出力を、復号されたＴＭＣＣ情報に含まれる歪補償情報に基づいて選択する。選択部１００２は、歪補償情報が歪補償がされていることを表している場合、送信信号点情報供給部１７０１の出力を選択し、歪補償がされていないことを表している場合、伝送信号点配置信号平均化部１００１の出力を選択する。選択された信号は、位相誤差テーブル生成部５５８に供給される。
【０２４４】
図３４を図２９と比較して明らかなように、図３４の直交検波部５１２においては、図２９の歪後シンボル再生部５５７が省略されている。その代わりに、送信信号点情報供給部１７０１が設けられている。また、選択部１００２は、平均化終了信号ではなく、歪補償情報に基づいて選択を制御する。
【０２４５】
図３５は、本技術の受信装置５０１のＬＤＰＣ符号復号部５１４の第３の実施の形態の構成を示すブロック図である。すなわち、第３の実施の形態のＬＤＰＣ符号復号部５１４は、尤度テーブル生成部５８２、尤度テーブル５８３、および復号部５８４を有している。これらの機能は、図２５の第１の実施の形態および図３０の第２の実施の形態のＬＤＰＣ符号復号部５１４における場合と同様である。
【０２４６】
ＬＤＰＣ符号復号部５１４はまた、伝送信号点配置信号抽出部１５９１、伝送信号点配置信号平均化部１５９２、送信信号点情報供給部１８０１、および選択部１５９３を有している。
【０２４７】
伝送信号点配置信号抽出部１５９１と伝送信号点配置信号平均化部１５９２の機能は、図１９のリファレンス装置３０１のＬＤＰＣ符号復号部３１４の伝送信号点配置信号抽出部３８１と伝送信号点配置信号平均化部３８２と同様である。すなわち、伝送信号点配置信号抽出部１５９１と伝送信号点配置信号平均化部１５９２の機能は、図３０の第２の実施の形態の場合と同様である。送信信号点情報供給部１８０１は、送信信号点情報を供給する。送信信号点情報は、送信信号点の絶対座標または相対座標、すなわち歪のない状態の座標で表される。送信信号点情報は、歪のない、すなわち歪が補償された信号を復号するための基準信号である。すなわち、送信信号点情報供給部１８０１の機能は、図３４における送信信号点情報供給部１７０１と同様である。
【０２４８】
選択部１５９３は、伝送信号点配置信号平均化部１５９２または送信信号点情報供給部１８０１の出力を、復号されたＴＭＣＣ情報の歪補償情報に基づいて選択する。選択部１５９３は、歪補償情報が歪補償がされていることを表している場合、送信信号点情報供給部１８０１の出力を選択し、歪補償がされていないことを表している場合、伝送信号点配置信号平均化部１５９２の出力を選択する。選択された信号は、尤度テーブル生成部５８２に供給される。
【０２４９】
図３５を図３０と比較して明らかなように、図３５のＬＤＰＣ符号復号部５１４においては、図３０の歪後シンボル再生部５８１が省略されている。その代わりに、送信信号点情報供給部１８０１が設けられている。
【０２５０】
第３の実施の形態の場合、送信装置２０１において事前に歪補償が行われているので、受信信号点の座標は送信信号点の座標と殆ど一致している。そこで送信信号点情報に基づいて位相誤差テーブル５５４や尤度テーブル５８３を生成することで、受信信号点を正確に抽出し、復調することができる。
【０２５１】
［直交検波処理］
次に、図３６を参照して図３４の直交検波部５１２の直交検波処理について説明する。図３６は、本技術の受信装置５０１の直交検波部５１２の第３の実施の形態の直交検波処理を説明するフローチャートである。
【０２５２】
ステップＳ３３０１において複素乗算部５５１は、複素乗算処理し、直交検波を実行する。後述するように、ステップＳ３３０７，Ｓ３３０９の処理により、ＮＣＯ５５６から供給される搬送波信号が、基準信号である送信信号点情報に基づいて生成される。従って、この場合、複素乗算部５５１は、図２６のステップＳ２０１のチャンネル選択部５１１により選択された歪補償されている情報信号を、送信信号点情報を利用して元の信号に復調していることになる。
【０２５３】
ステップＳ３３０２においてＲＲＦ５５２，５５３は、複素乗算部５５１の出力するＩ信号とＱ信号をそれぞれフィルタ処理する。ステップＳ３３０３においてＬＦ５５５は、位相誤差テーブルからの信号に基づいて制御信号を生成する。ステップＳ３３０４においてＮＣＯ５５６は、ＬＦ５５５により生成された制御信号に基づいて複素乗算に用いる搬送波信号を発生する。
【０２５４】
以上の複素乗算部５５１、ＲＲＦ５５２，５５３、位相誤差テーブル５５４、ＬＦ５５５、およびＮＣＯ５５６のＰＬＬ処理は、受信信号の位相の回転を停止させるように機能する。
【０２５５】
ステップＳ３３０５において伝送信号点配置信号抽出部５５９は、ＲＲＦ５５２，５５３の出力から、伝送信号点配置信号を抽出する。ステップＳ３３０６において選択部１００２は、復号されたＴＭＣＣ情報に含まれる歪補償情報がオンであるかを判定する。歪補償情報がオンである場合、すなわち歪補償情報が送信装置２０１により歪補償が行われていることを表している場合、ステップＳ３３０７において選択部１００２は、送信信号点情報を選択する。
【０２５６】
送信装置２０１により歪補償が行われている場合、受信信号点の座標は送信信号点の座標と殆ど一致している。そこで送信信号点情報に基づいて位相誤差テーブルを生成することで、受信信号点を正確に抽出し、復調することができる。
【０２５７】
歪補償情報がオフである場合、すなわち歪補償情報が送信装置２０１により歪補償が行われていないことを表している場合、ステップＳ３３０８において伝送信号点配置信号平均化部１００１は、伝送信号点配置信号を平均化する。
【０２５８】
ステップＳ３３０９において位相誤差テーブル生成部５５８は、送信信号点情報または平均化された伝送信号点配置信号に基づいて、位相誤差テーブルを更新する。更新された位相誤差テーブルに基づいて上述したステップＳ３３０１乃至ステップＳ３３０４の処理が繰り返される。
【０２５９】
以上の処理は、ステップＳ３３１０において終了が指示されたと判定されるまで繰り返される。
【０２６０】
［ＬＤＰＣ符号復号処理］
次に図３５のＬＤＰＣ符号復号部５１４が実行するＬＤＰＣ符号復号処理の詳細について、図３７を参照して説明する。図３７は、本技術の受信装置のＬＤＰＣ符号復号部の第３の実施の形態のＬＤＰＣ符号復号処理を説明するフローチャートである。
【０２６１】
ステップＳ３３５１において伝送信号点配置信号抽出部１５９１は、直交検波部５１２より供給されたＩ信号とＱ信号から、伝送信号点配置信号を抽出する。ステップＳ３３５２において選択部１５９３は、復号されたＴＭＣＣ情報に含まれる歪補償情報がオンであるかを判定する。歪補償情報がオンである場合、すなわち歪補償情報が送信装置２０１により歪補償が行われていることを表している場合、ステップＳ３３５３において選択部１５９３は、送信信号点情報を選択する。
【０２６２】
送信装置２０１において歪補償が行われている場合、送信信号点の座標は送信信号点の座標と殆ど一致している。そこで送信信号点情報に基づいて尤度テーブル５８３を生成することで、ＬＤＰＣ符号を正確に復号することができる。
【０２６３】
歪補償情報がオフである場合、すなわち歪補償情報が送信装置２０１により歪補償が行われていないことを表している場合、ステップＳ３３５４において伝送信号点配置信号平均化部１５９２は、伝送信号点配置信号を平均化する。
【０２６４】
ステップＳ３３５５において尤度テーブル生成部５８２は、送信信号点情報または平均化された伝送信号点配置信号に基づいて、尤度テーブルを生成し、尤度テーブル５８３に書き込む。
【０２６５】
ステップＳ３３５６において復号部５８４は、尤度テーブル５８３に基づいて、直交検波部５１２より供給されたＩ信号とＱ信号からＬＤＰＣ符号を復号し、復号信号を出力する。ステップＳ３３５２，Ｓ３３５５の処理により、尤度テーブル５８３が、基準信号である送信信号点情報に基づいて生成される。従って、この場合、復号部５８４は、歪補償されている情報信号を、送信信号点情報を利用して元の信号に復号していることになる。復号された信号は、図２３のエネルギー逆拡散部５１５に供給される。
【０２６６】
以上の処理は、ステップＳ３３５７において処理の終了が指示されたと判定されるまで繰り返される。
【０２６７】
第３の実施の形態においては、送信装置２０１により事前に歪補償が行われる。従って、伝送信号点配置信号の平均化処理が不要となり、第１の実施の形態と同様の効果を奏することが可能となる。
【０２６８】
図３４と図３５に示す構成例では、伝送信号点配置信号抽出部５５９，１５９１、伝送信号点配置信号平均化部１００１，１５９２を設けた。これにより、送信装置２０１により事前に歪補償が行われていない場合にも歪補償ができる。しかし、常に事前歪補償が行われる場合には、これらの構成を省略することができる。この場合、歪補償情報も不要となる。
【０２６９】
なお、第１の実施の形態と第２の実施の形態においても、第３の実施の形態において説明した事前歪補償を併用することができる。このようにすれば、受信信号の歪みをより少なくすることができる。
【０２７０】
＜変形例＞
以上においてはパイ（ギリシア文字）／２シフトＢＰＳＫ、ＱＰＳＫ、８ＰＳＫ、１６ＡＰＳＫ、３２ＡＰＳＫの変調方式を用いる場合について説明したが、ＱＡＭ変調を用いる場合にも、本技術は適用することができる。また、日本における衛星１１４を介して信号を伝送する場合の歪を補正するようにしたが、本技術の適用対象はこれに限られない。図９に示されるように、各種の伝送路１４５を介して情報を伝送する場合に本技術は適用できる。例えば欧州の衛星放送の規格（ＤＶＢ）に適用することもできる。その場合、例えば歪情報や歪補償情報は、制御信号であるＰＬＳＣＯＤＥ（Physical Layer Signaling Code）のビット数を増加するなどしてそこに挿入することができる。
【０２７１】
なお、上述した一連の処理は、ハードウェアにより実行させることもできるし、ソフトウェアにより実行させることもできる。上述した一連の処理をソフトウェアにより実行させる場合には、そのソフトウェアを構成するプログラムが、専用のハードウェアに組み込まれているコンピュータにネットワークや記録媒体からインストールされる。また、各種のプログラムをインストールすることで、各種の機能を実行することが可能な、例えば図３８に示されるような汎用のパーソナルコンピュータ２０００などに、ネットワークや記録媒体からインストールされる。
【０２７２】
図３８において、ＣＰＵ（Central Processing Unit）２０２１は、ＲＯＭ（Read Only Memory）２０２２に記憶されているプログラム、または記憶部２０２８からＲＡＭ（Random Access Memory）２０２３にロードされたプログラムに従って各種の処理を実行する。ＲＡＭ２０２３にはまた、ＣＰＵ２０２１が各種の処理を実行する上において必要なデータなども適宜記憶される。
【０２７３】
ＣＰＵ２０２１、ＲＯＭ２０２２、およびＲＡＭ２０２３は、バス２０２４を介して相互に接続されている。このバス２０２４にはまた、入出力インタフェース２０２５も接続されている。
【０２７４】
入出力インタフェース２０２５には、キーボード、マウスなどよりなる入力部２０２６、ＬＣＤ(Liquid Crystal display)などよりなるディスプレイ、並びにスピーカなどよりなる出力部２０２７が接続されている。また、入出力インタフェース２０２５には、ハードディスクなどより構成される記憶部２０２８、モデム、LANカードなどのネットワークインタフェースカードなどより構成される通信部２０２９が接続されている。通信部２０２９は、インターネットを含むネットワークを介しての通信処理を行う。
【０２７５】
入出力インタフェース２０２５にはまた、必要に応じてドライブ２０３０が接続され、磁気ディスク、光ディスク、光磁気ディスク、或いは半導体メモリなどのリムーバブルメディア２０３１が適宜装着されている。そして、それらのリムーバブルメディアから読み出されたコンピュータプログラムが、必要に応じて記憶部２０２８にインストールされる。
【０２７６】
上述した一連の処理をソフトウェアにより実行させる場合には、そのソフトウェアを構成するプログラムが、インターネットなどのネットワークや、リムーバブルメディア２０３１などからなる記録媒体からインストールされる。
【０２７７】
なお、この記録媒体は、図３８に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア２０３１により構成されるものだけでなく、装置本体に予め組み込まれた状態でユーザに配信される、プログラムが記録されているＲＯＭ２０２２や、記憶部２０２８に含まれるハードディスクなどで構成されるものも含む。
【０２７８】
なお、本明細書において上述した一連の処理は、記載された順序に沿って時系列的に行われる処理はもちろん、必ずしも時系列的に処理されなくとも、並列的あるいは個別に実行される処理をも含むものである。
【０２７９】
また、本技術の実施の形態は、上述した実施の形態に限定されるものではなく、本技術の要旨を逸脱しない範囲において種々の変更が可能である。
【０２８０】
＜その他＞
本技術は、以下のような構成もとることができる。
（１）
情報信号の伝送路の非直線性に基づく前記情報信号の歪を表す歪情報を取得する取得部と、
取得した前記歪情報を利用して、送信する前記情報信号を、受信された前記情報信号が有する歪が相殺されるように補償する補償部と、
前記情報信号が補償されていることを表す歪補償情報を前記情報信号の制御信号に含めて送信する送信部と
を備える送信装置。
（２）
前記歪情報は、
歪後の全伝送信号点の絶対座標情報、
歪後の伝送信号点のうちの一部の絶対座標情報、
歪後の基準となる伝送信号点に対する他の全ての伝送信号点の相対座標情報、
歪後の基準となる伝送信号点に対する他の一部の伝送信号点の相対座標情報、
伝送路の入出力特性のグラフのデータ、
送信信号点に対する歪を受けた受信信号点の相対座標、または
原点に対する半径の倍率と回転角
のいずれかで表される前記（１）に記載の送信装置。
（３）
前記歪情報は、送信された前記情報信号をリファレンス受信して検出した歪または前記伝送路の特性を予め検出した歪に基づいて生成されている
前記（１）または（２）に記載の送信装置。
（４）
前記制御信号は、ＡＲＩＢ  ＳＴＤ―Ｂ４４のＴＭＣＣ信号である
前記（１）、（２）または（３）に記載の送信装置。
（５）
前記歪情報は、前記ＴＭＣＣ信号に含まれる伝送信号点配置信号に基づいて生成される
前記（４）に記載の送信装置。
（６）
情報信号の伝送路の非直線性に基づく前記情報信号の歪を表す歪情報を取得するステップと、
取得した前記歪情報を利用して、送信する前記情報信号を、受信された前記情報信号が有する歪が相殺されるように補償するステップと、
前記情報信号が補償されていることを表す歪補償情報を前記情報信号の制御信号に含めて送信するステップと
を含む送信装置の信号送信方法。
（７）
情報信号の伝送路の非直線性に基づく前記情報信号の歪を表す歪情報を取得するステップと、
取得した前記歪情報を利用して、送信する前記情報信号を、受信された前記情報信号が有する歪が相殺されるように補償するステップと、
前記情報信号が補償されていることを表す歪補償情報を前記情報信号の制御信号に含めて送信するステップと
を含む処理をコンピュータに実行させるプログラム。
（８）
情報信号の伝送路の非直線性に基づく歪が補償されていることを表す歪補償情報が制御信号に含めて送信される前記情報信号を取得する取得部と、
前記歪補償情報が取得された場合、歪が補償された信号を復調するための送信信号点情報を供給する供給部と、
供給された前記送信信号点情報を利用して前記情報信号を元の信号に復調する復調部と
を備える受信装置。
（９）
前記歪情報は、
歪後の全伝送信号点の絶対座標情報、
歪後の伝送信号点のうちの一部の絶対座標情報、
歪後の基準となる伝送信号点に対する他の全ての伝送信号点の相対座標情報、
歪後の基準となる伝送信号点に対する他の一部の伝送信号点の相対座標情報、
伝送路の入出力特性のグラフのデータ、
送信信号点に対する歪を受けた受信信号点の相対座標、または
原点に対する半径の倍率と回転角
のいずれかで表される前記（８）に記載の受信装置。
（１０）
前記歪情報は、送信された前記情報信号をリファレンス受信して検出した歪または前記伝送路の特性を予め検出した歪に基づいて生成されている
前記（８）または（９）に記載の受信装置。
（１１）
前記復調部は、前記歪補償情報が、前記情報信号が補償されていないことを表している場合、前記制御信号に含まれる伝送信号点配置信号を平均化した信号を利用して前記情報信号を元の信号に復調する
前記（６）、（７）または（８）に記載の受信装置。
（１２）
情報信号の伝送路の非直線性に基づく歪が補償されていることを表す歪補償情報が制御信号に含めて送信される前記情報信号を取得するステップと、
前記歪補償情報が取得された場合、歪が補償された信号を復調するための送信信号点情報を供給するステップと、
供給された前記送信信号点情報を利用して前記情報信号を元の信号に復調するステップと
を含む受信装置の信号受信方法。
（１３）
情報信号の伝送路の非直線性に基づく歪が補償されていることを表す歪補償情報が制御信号に含めて送信される前記情報信号を取得するステップと、
前記歪補償情報が取得された場合、歪が補償された信号を復調するための送信信号点情報を供給するステップと、
供給された前記送信信号点情報を利用して前記情報信号を元の信号に復調するステップと
を含む処理をコンピュータに実行させるプログラム。
【符号の説明】
【０２８１】
２０１  送信装置，  ２１１  主信号系，  ２１２  制御信号系，  ２１３  歪補償部，  ２４１  受信部，  ５０１  受信装置，  ５１１  チャンネル選択部，  ５１２  直交検波部，  ５１３  ＴＭＣＣ復号部，  ５１４  ＬＤＰＣ符号復号部，  ５１５  エネルギー逆拡散部，  ５１６  ＢＣＨ符号復号部
【図１】
2015002355.tif 000003
【図２】
2015002355.tif 000004
【図３】
2015002355.tif 000005
【図４】
2015002355.tif 000006
【図５】
2015002355.tif 000007
【図６】
2015002355.tif 000008
【図７】
2015002355.tif 000009
【図８】
2015002355.tif 000010
【図９】
2015002355.tif 000011
【図１０】
2015002355.tif 000012
【図１１】
2015002355.tif 000013
【図１２】
2015002355.tif 000014
【図１３】
2015002355.tif 000015
【図１４】
2015002355.tif 000016
【図１５】
2015002355.tif 000017
【図１６】
2015002355.tif 000018
【図１７】
2015002355.tif 000019
【図１８】
2015002355.tif 000020
【図１９】
2015002355.tif 000021
【図２０】
2015002355.tif 000022
【図２１】
2015002355.tif 000023
【図２２】
2015002355.tif 000024
【図２３】
2015002355.tif 000025
【図２４】
2015002355.tif 000026
【図２５】
2015002355.tif 000027
【図２６】
2015002355.tif 000028
【図２７】
2015002355.tif 000029
【図２８】
2015002355.tif 000030
【図２９】
2015002355.tif 000031
【図３０】
2015002355.tif 000032
【図３１】
2015002355.tif 000033
【図３２】
2015002355.tif 000034
【図３３】
2015002355.tif 000035
【図３４】
2015002355.tif 000036
【図３５】
2015002355.tif 000037
【図３６】
2015002355.tif 000038
【図３７】
2015002355.tif 000039
【図３８】
2015002355.tif 000040